(57)【要約】  本願は間欠受信方法及び装置を開示し、該方法は、端末が送信時刻にネットワーク機器へアップリンクデータを送信することと、前記送信時刻後の時間帯内に、前記端末が間欠受信ＤＲＸスリープ期間とＤＲＸアクティブ期間との間で切り替えることと、を含む。端末がアップリンクデータを送信することにより、端末がアップリンクデータを送信する送信時刻後の時間帯内に間欠受信を行うようにトリガーし、このようにして、従来技術における端末が比較的一定の時刻にＤＲＸサイクルで間欠受信を行わなければならないことを避け、端末がＤＲＸ動作メカニズムを用いてネットワーク機器と通信する柔軟性を向上させる。
2020504489.tif 000002
【特許請求の範囲】
【請求項１】
間欠受信方法であって、
端末は送信時刻にネットワーク機器へアップリンクデータを送信することと、
前記送信時刻後の時間帯内に、前記端末は間欠受信ＤＲＸスリープ期間とＤＲＸアクティブ期間との間で切り替えることと、を含むことを特徴とする間欠受信方法。
【請求項２】
前記方法は、更に、
前記端末が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、
前記送信時刻後の時間帯内に、前記端末がＤＲＸスリープ期間とＤＲＸアクティブ期間との間で切り替えることは、更に、
前記送信時刻後の時間帯内に、前記端末が前記第１ＤＲＸパターンに基づいて前記ＤＲＸスリープ期間と前記ＤＲＸアクティブ期間との間で切り替えることを含むことを特徴とする請求項１に記載の方法。
【請求項３】
前記端末が第１ＤＲＸパターンを決定することは、
前記端末が前記ネットワーク機器から送信された、前記第１ＤＲＸパターンを示すための第１指示情報を受信することを含むことを特徴とする請求項２に記載の方法。
【請求項４】
前記方法は、更に、
前記端末が前記第１ＤＲＸパターンを利用する持続時間を決定することを含み、
前記送信時刻後の時間帯内に、前記端末が前記第１ＤＲＸパターンに基づいて前記ＤＲＸスリープ期間と前記ＤＲＸアクティブ期間との間で切り替えることは、
前記送信時刻後の時間帯である前記持続時間内に、前記端末が前記第１ＤＲＸパターンに基づいて前記ＤＲＸスリープ期間と前記ＤＲＸアクティブ期間との間で切り替えることを含むことを特徴とする請求項２又は３に記載の方法。
【請求項５】
前記方法は、更に、
前記持続時間を経過した後、前記端末が第２ＤＲＸパターンに基づいて前記ＤＲＸスリープ期間と前記ＤＲＸアクティブ期間との間で切り替えることを含むことを特徴とする請求項４に記載の方法。
【請求項６】
前記端末は前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信することと、
前記端末が前記第１ＤＲＸパターンに基づいて前記ＤＲＸスリープ期間と前記ＤＲＸアクティブ期間との間で切り替えることを停止することと、を更に含むことを特徴とする請求項２〜５のいずれか１項に記載の方法。
【請求項７】
前記端末が第１ＤＲＸパターンを決定する前に、前記方法は、更に、
前記端末が第２ＤＲＸパターンに基づいて前記ＤＲＸスリープ期間と前記ＤＲＸアクティブ期間との間で切り替えることを含むことを特徴とする請求項２〜６のいずれか１項に記載の方法。
【請求項８】
前記方法は、更に、
前記端末が前記ネットワーク機器から送信された第３指示情報を受信し、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含むことを特徴とする請求項２〜７のいずれか１項に記載の方法。
【請求項９】
前記ＤＲＸスリープ期間に対応する時間帯及び／又は前記ＤＲＸアクティブ期間に対応する時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項２〜８のいずれか１項に記載の方法。
【請求項１０】
前記送信時刻後の時間帯内に、前記端末がＤＲＸスリープ期間とＤＲＸアクティブ期間との間で切り替えることは、
前記送信時刻後の時間帯内に、前記端末が前記ＤＲＸアクティブ期間に前記ネットワーク機器から送信された前記アップリンクデータのＡＣＫ情報を受信することと、
前記端末が前記ＡＣＫ情報を受信した時刻に前記ＤＲＸアクティブ期間から前記ＤＲＸスリープ期間に切り替えることと、を含むことを特徴とする請求項１に記載の方法。
【請求項１１】
前記方法は、更に、
前記送信時刻後の時間帯内に、前記端末が前記ＤＲＸアクティブ期間に前記ネットワーク機器から送信された前記アップリンクデータのＮＡＣＫ情報を受信することと、
前記端末が前記ネットワーク機器へ前記アップリンクデータを改めて送信することと、を含むことを特徴とする請求項１又は１０に記載の方法。
【請求項１２】
前記送信時刻後の時間帯内に、前記端末がＤＲＸスリープ期間とＤＲＸアクティブ期間との間で切り替えることは、
前記送信時刻後の時間帯内に、前記端末が前記ＤＲＸアクティブ期間に前記ネットワーク機器から送信された前記アップリンクデータのＮＡＣＫ情報を受信することと、
前記端末が前記ＮＡＣＫ情報を受信した時刻に前記ＤＲＸアクティブ期間から前記ＤＲＸスリープ期間に切り替えることと、を含むことを特徴とする請求項１又は１０に記載の方法。
【請求項１３】
前記方法は、更に、
前記送信時刻後の時間帯内に、前記ＤＲＸアクティブ期間に対応する時間帯を経過した後、前記端末が前記ネットワーク機器から送信された前記アップリンクデータのＡＣＫ情報を受信していない場合、前記端末が前記ネットワーク機器へ前記アップリンクデータを送信することを含むことを特徴とする請求項１に記載の方法。
【請求項１４】
前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、
前記第１時間帯内に、前記端末がＤＲＸアクティブ期間にあることと、
前記送信時刻後の時間帯内、且つ前記第１時間帯を経過した後、前記端末が前記ＤＲＸアクティブ期間から前記ＤＲＸスリープ期間に切り替えることと、を含むことを特徴とする請求項１に記載の方法。
【請求項１５】
前記送信時刻後の時間帯が第１時間帯を含み、前記第１時間帯の開始時刻が前記送信時刻であり、
前記送信時刻後の時間帯内に、前記端末がＤＲＸスリープ期間とＤＲＸアクティブ期間との間で切り替えることは、
前記第１時間帯内に、前記端末がＤＲＸスリープ期間にあることと、
前記送信時刻後の時間帯内、且つ前記第１時間帯を経過した後、前記端末が前記ＤＲＸスリープ期間から前記ＤＲＸアクティブ期間に切り替えることと、を含むことを特徴とする請求項１に記載の方法。
【請求項１６】
前記第１時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項１３又は１４に記載の方法。
【請求項１７】
間欠受信方法であって、
ネットワーク機器は端末が送信時刻に送信したアップリンクデータを受信することと、
前記ネットワーク機器は、前記送信時刻後の時間帯内且つ前記端末が間欠受信ＤＲＸアクティブ期間にあるとき、前記端末へダウンリンクデータを送信することと、を含むことを特徴とする間欠受信方法。
【請求項１８】
前記方法は、更に、
前記ネットワーク機器が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、
前記ネットワーク機器が前記送信時刻後の時間帯内に前記端末へダウンリンクデータを送信することは、更に、
前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することを含むことを特徴とする請求項１７に記載の方法。
【請求項１９】
前記方法は、更に、
前記ネットワーク機器が前記第１ＤＲＸパターンを示すための第１指示情報を前記端末へ送信することを含むことを特徴とする請求項１８に記載の方法。
【請求項２０】
前記方法は、更に、
前記ネットワーク機器が前記第１ＤＲＸパターンを利用する持続時間を前記端末へ送信することを含み、
前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することは、
前記送信時刻後の前記時間帯である前記持続時間内に、前記ネットワーク機器が前記第１ＤＲＸパターンに基づいて前記端末の前記ＤＲＸアクティブ期間に対応する時間帯にある際に前記端末へ前記ダウンリンクデータを送信することを含むことを特徴とする請求項１８又は１９に記載の方法。
【請求項２１】
前記方法は、更に、
前記ネットワーク機器が前記端末の前記第１ＤＲＸパターンに基づいて前記ＤＲＸスリープ期間と前記ＤＲＸアクティブ期間との間で切り替えないことを指示するための第２指示情報を前記端末へ送信することを含むことを特徴とする請求項１８〜２０のいずれか１項に記載の方法。
【請求項２２】
前記方法は、更に、
前記ネットワーク機器が第３指示情報を前記端末へ送信し、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含むことを特徴とする請求項１８〜２１のいずれか１項に記載の方法。
【請求項２３】
前記ＤＲＸスリープ期間に対応する時間帯及び前記ＤＲＸアクティブ期間に対応する時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項１８〜２２のいずれか１項に記載の方法。
【請求項２４】
前記ネットワーク機器が前記送信時刻後の時間帯内に前記端末へダウンリンクデータを送信することは、
前記送信時刻後の時間帯内、且つ前記端末が前記ＤＲＸアクティブ期間にあるとき、前記ネットワーク機器が前記ダウンリンクデータに含まれる前記アップリンクデータのＡＣＫ情報を前記端末へ送信することを含むことを特徴とする請求項１７に記載の方法。
【請求項２５】
前記ネットワーク機器が前記送信時刻後の時間帯内に前記端末へダウンリンクデータを送信することは、
前記送信時刻後の時間帯内、且つ前記端末が前記ＤＲＸアクティブ期間にあるとき、前記ネットワーク機器が前記端末へ前記アップリンクデータのＮＡＣＫ情報を送信することと、
前記ネットワーク機器が前記端末から送信された前記アップリンクデータを改めて受信することと、を含むことを特徴とする請求項１７又は２４に記載の方法。
【請求項２６】
前記ネットワーク機器が前記送信時刻後の時間帯内に前記端末へダウンリンクデータを送信することは、
前記送信時刻後の時間帯内、且つ前記ＤＲＸアクティブ期間に対応する時間帯を経過した後、前記ネットワーク機器が前記端末へ前記アップリンクデータのＡＣＫ情報を送信していない場合、前記ネットワーク機器が前記端末から送信された前記アップリンクデータを受信する準備をすることを含むことを特徴とする請求項１７に記載の方法。
【請求項２７】
前記送信時刻後の時間帯が第１時間帯を含み、前記第１時間帯の開始時刻が前記送信時刻であり、且つ前記端末が前記第１時間帯内にＤＲＸアクティブ期間にあり、
前記ネットワーク機器が前記送信時刻後の時間帯内に前記端末へダウンリンクデータを送信することは、
前記ネットワーク機器が前記第１時間帯内に前記端末へ前記ダウンリンクデータを送信することを含むことを特徴とする請求項１７に記載の方法。
【請求項２８】
前記送信時刻後の時間帯が第１時間帯を含み、前記第１時間帯の開始時刻が前記送信時刻であり、且つ前記端末が前記第１時間帯内にＤＲＸスリープ期間にあり、
前記ネットワーク機器が前記送信時刻後の時間帯内に前記端末へダウンリンクデータを送信することは、
前記送信時刻後の時間帯内、且つ前記第１時間帯を経過した後、前記ネットワーク機器が前記端末へ前記ダウンリンクデータを送信することを含むことを特徴とする請求項１７に記載の方法。
【請求項２９】
前記第１時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項２７又は２８に記載の方法。
【請求項３０】
間欠受信装置であって、
送信時刻にネットワーク機器へアップリンクデータを送信するための第１送信モジュールと、
前記送信時刻後の時間帯内に間欠受信ＤＲＸスリープ期間とＤＲＸアクティブ期間との間で切り替えるための第１切替モジュールと、を含むことを特徴とする間欠受信装置。
【請求項３１】
前記装置は、更に、
前記送信時刻後の時間帯内の、前記ＤＲＸスリープ期間に対応する時間帯及び前記ＤＲＸアクティブ期間に対応する時間帯を示すための第１ＤＲＸパターンを決定するための第１決定モジュールを更に含み、
前記第１切替モジュールは更に前記送信時刻後の時間帯内に前記第１ＤＲＸパターンに基づいて前記ＤＲＸスリープ期間と前記ＤＲＸアクティブ期間との間で切り替えることに用いられることを特徴とする請求項３０に記載の装置。
【請求項３２】
前記第１決定モジュールは、更に、
前記ネットワーク機器から送信された、前記第１ＤＲＸパターンを示すための第１指示情報を受信することに用いられることを特徴とする請求項３１に記載の装置。
【請求項３３】
前記装置は、更に、
前記第１ＤＲＸパターンを利用する持続時間を決定するための第２決定モジュールを含み、
前記第１切替モジュールは、更に、前記送信時刻後の時間帯である前記持続時間内に、前記端末が前記第１ＤＲＸパターンに基づいて前記ＤＲＸスリープ期間と前記ＤＲＸアクティブ期間との間で切り替えることに用いられることを特徴とする請求項３１又は３２に記載の装置。
【請求項３４】
前記装置は、更に、
前記持続時間を経過した後、第２ＤＲＸパターンに基づいて前記ＤＲＸスリープ期間と前記ＤＲＸアクティブ期間との間で切り替えるための第２切替モジュールを含むことを特徴とする請求項３３に記載の装置。
【請求項３５】
前記装置は、更に、
前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信するための第１受信モジュールと、
前記第１ＤＲＸパターンに基づいて前記ＤＲＸスリープ期間と前記ＤＲＸアクティブ期間との間で切り替えることを停止するための停止モジュールと、を含むことを特徴とする請求項３０〜３４のいずれか１項に記載の装置。
【請求項３６】
前記装置は、更に、
第２ＤＲＸパターンに基づいて前記ＤＲＸスリープ期間と前記ＤＲＸアクティブ期間との間で切り替えるための第３決定モジュールを含むことを特徴とする請求項３０〜３５のいずれか１項に記載の装置。
【請求項３７】
前記装置は、更に、
前記ネットワーク機器から送信された第３指示情報を受信するための第２受信モジュールを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを特徴とする請求項３０〜３６のいずれか１項に記載の装置。
【請求項３８】
前記ＤＲＸスリープ期間に対応する時間帯及び／又は前記ＤＲＸアクティブ期間に対応する時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項３０〜３７のいずれか１項に記載の装置。
【請求項３９】
前記第１切替モジュールは、具体的に、
前記送信時刻後の時間帯内に、前記ＤＲＸアクティブ期間に前記ネットワーク機器から送信された前記アップリンクデータのＡＣＫ情報を受信し、
前記ＡＣＫ情報を受信した時刻に前記ＤＲＸアクティブ期間から前記ＤＲＸスリープ期間に切り替えることに用いられることを特徴とする請求項３０に記載の装置。
【請求項４０】
前記装置は、更に、
前記送信時刻後の時間帯内、且つ前記ＤＲＸアクティブ期間に前記ネットワーク機器から送信された前記アップリンクデータのＮＡＣＫ情報を受信するための受信モジュールと、
前記ネットワーク機器へ前記アップリンクデータを改めて送信するための第２送信モジュールと、を含むことを特徴とする請求項３０又は３９に記載の装置。
【請求項４１】
前記第１切替モジュールは、具体的に、
前記送信時刻後の時間帯内に、前記ＤＲＸアクティブ期間に前記ネットワーク機器から送信された前記アップリンクデータのＮＡＣＫ情報を受信し、
前記ＮＡＣＫ情報を受信した時刻に前記ＤＲＸアクティブ期間から前記ＤＲＸスリープ期間に切り替えることに用いられることを特徴とする請求項３０又は３９に記載の装置。
【請求項４２】
前記装置は、更に第３送信モジュールを含み、
前記第３送信モジュールは、前記送信時刻後の時間帯内に、前記ＤＲＸアクティブ期間に対応する時間帯を経過した後、前記ネットワーク機器から送信された前記アップリンクデータのＡＣＫ情報を受信していない場合、前記ネットワーク機器へ前記アップリンクデータを送信することに用いられることを特徴とする請求項３０に記載の装置。
【請求項４３】
前記送信時刻後の時間帯が第１時間帯を含み、前記第１時間帯の開始時刻が前記送信時刻であり、前記第１切替モジュールは、具体的に、
前記第１時間帯内にＤＲＸアクティブ期間にあり、
前記送信時刻後の時間帯内、且つ前記第１時間帯を経過した後、前記ＤＲＸアクティブ期間から前記ＤＲＸスリープ期間に切り替えることに用いられることを特徴とする請求項３０に記載の装置。
【請求項４４】
前記送信時刻後の時間帯が第１時間帯を含み、前記第１時間帯の開始時刻が前記送信時刻であり、
前記第１切替モジュールは、具体的に、
前記第１時間帯内にＤＲＸスリープ期間にあり、
前記送信時刻後の時間帯内、且つ前記第１時間帯を経過した後、前記ＤＲＸスリープ期間から前記ＤＲＸアクティブ期間に切り替えることに用いられることを特徴とする請求項３０に記載の装置。
【請求項４５】
前記第１時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項４３又は４４に記載の装置。
【請求項４６】
間欠受信装置であって、
端末が送信時刻に送信したアップリンクデータを受信するための第１受信モジュールと、
前記送信時刻後の時間帯内、且つ前記端末が間欠受信ＤＲＸアクティブ期間にあるとき、前記端末へダウンリンクデータを送信するための第１送信モジュールと、を含むことを特徴とする間欠受信装置。
【請求項４７】
前記装置は、
前記送信時刻後の時間帯内の、前記ＤＲＸスリープ期間に対応する時間帯及び前記ＤＲＸアクティブ期間に対応する時間帯を示すための第１ＤＲＸパターンを決定するための第１決定モジュールを更に含み、
前記第１送信モジュールは、更に、
前記送信時刻後の時間帯内に、前記第１ＤＲＸパターンに基づいて前記端末が前記ＤＲＸアクティブ期間に対応する時間帯にある際に前記端末へ前記ダウンリンクデータを送信することに用いられることを特徴とする請求項４６に記載の装置。
【請求項４８】
前記装置は、更に、
前記第１ＤＲＸパターンを示すための第１指示情報を前記端末へ送信するための第２送信モジュールを含むことを特徴とする請求項４７に記載の装置。
【請求項４９】
前記装置は、更に、
前記第１ＤＲＸパターンを利用する持続時間を前記端末へ送信するための第３送信モジュールを含み、
前記第１送信モジュールは、具体的に、更に、
前記送信時刻後の前記時間帯である前記持続時間内に、前記第１ＤＲＸパターンに基づいて前記端末が前記ＤＲＸアクティブ期間に対応する時間帯にある際に前記端末へ前記ダウンリンクデータを送信することに用いられることを特徴とする請求項４７又は４８に記載の装置。
【請求項５０】
前記装置は、更に、
前記端末が前記第１ＤＲＸパターンに基づいて前記ＤＲＸスリープ期間と前記ＤＲＸアクティブ期間との間で切り替えないことを指示するための第２指示情報を前記端末へ送信するための第４送信モジュールを含むことを特徴とする請求項４７〜４９のいずれか１項に記載の装置。
【請求項５１】
前記装置は、更に第３指示情報を前記端末へ送信するための第５送信モジュールを含み、
前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを特徴とする請求項４７〜５０のいずれか１項に記載の装置。
【請求項５２】
前記ＤＲＸスリープ期間に対応する時間帯及び前記ＤＲＸアクティブ期間に対応する時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項４７〜５１のいずれか１項に記載の装置。
【請求項５３】
前記第１送信モジュールは、具体的に、更に、
前記送信時刻後の時間帯内、且つ前記端末が前記ＤＲＸアクティブ期間にあるとき、前記ダウンリンクデータに含まれる前記アップリンクデータのＡＣＫ情報を前記端末へ送信することに用いられることを特徴とする請求項４６に記載の装置。
【請求項５４】
前記第１送信モジュールは、具体的に、更に、
前記送信時刻後の時間帯内、且つ前記端末が前記ＤＲＸアクティブ期間にあるとき、前記端末へ前記アップリンクデータのＮＡＣＫ情報を送信し、
前記端末から送信された前記アップリンクデータを改めて受信することに用いられることを特徴とする請求項４６又は５３に記載の装置。
【請求項５５】
前記第１送信モジュールは、具体的に、更に、
前記送信時刻後の時間帯内、且つ前記ＤＲＸアクティブ期間に対応する時間帯を経過した後、前記端末へ前記アップリンクデータのＡＣＫ情報を送信していない場合、前記ネットワーク機器が前記端末から送信された前記アップリンクデータを受信する準備をすることに用いられることを特徴とする請求項４６に記載の装置。
【請求項５６】
前記送信時刻後の時間帯が第１時間帯を含み、前記第１時間帯の開始時刻が前記送信時刻であり、且つ前記端末が前記第１時間帯内にＤＲＸアクティブ期間にあり、
前記第１送信モジュールは、具体的に、更に、
前記第１時間帯内に前記端末へ前記ダウンリンクデータを送信することに用いられることを特徴とする請求項４６に記載の装置。
【請求項５７】
前記送信時刻後の時間帯が第１時間帯を含み、前記第１時間帯の開始時刻が前記送信時刻であり、且つ前記端末が前記第１時間帯内にＤＲＸスリープ期間にあり、
前記第１送信モジュールは、具体的に、更に、
前記送信時刻後の時間帯内、且つ前記第１時間帯を経過した後、前記端末へ前記ダウンリンクデータを送信することに用いられることを特徴とする請求項４６に記載の装置。
【請求項５８】
前記第１時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項５６又は５７に記載の装置。
【発明の詳細な説明】
【技術分野】
【０００１】
本発明の実施例は通信分野に関し、より具体的に、間欠受信方法及び装置に関する。
【背景技術】
【０００２】
パケットに基づくデータストリームの伝送は一般的に突発的なものであり、一定期間内にネットワーク機器と端末との間にデータの伝送があるが、次のより長い期間内にデータの伝送がない可能性がある。データの伝送がないとき、端末は物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の受信を停止することにより端末の消費電力を減少させることができ、それにより端末の電池の使用時間を延長させ、上記の端末とネットワーク機器との通信方法は間欠受信（ＤＲＸ：Ｄｉｓｃｏｎｔｉｎｕｏｕｓ  Ｒｅｃｅｐｔｉｏｎ）である。
【０００３】
従来技術において、ＤＲＸ動作メカニズムはＤＲＸサイクルとタイマーとを組み合わせる方式を用い、基地局は端末と同じＤＲＸ動作方式を維持し、且つ端末がアクティブ期間にあるかスリープ期間にあるかをリアルタイムに把握することにより、端末がアクティブ期間（Ｏｎ  Ｄｕｒａｔｉｏｎ）にあるとき、ネットワーク機器が端末へデータを送信するが、端末がスリープ期間（Ｏｐｐｏｒｔｕｎｉｔｙ  ｆｏｒ  ＤＲＸ）にあるとき、ネットワーク機器が端末へデータを送信しないように確保する。
【０００４】
ところが、従来技術におけるこのようなＤＲＸ動作メカニズムは、端末がアクティブ期間にある時間帯及び端末がスリープ期間にある時間帯を比較的一定にするため、端末がＤＲＸ動作メカニズムを用いてネットワーク機器と通信する柔軟性を低下させてしまう。
【発明の概要】
【発明が解決しようとする課題】
【０００５】
端末がＤＲＸ動作メカニズムを用いてネットワーク機器と通信する柔軟性を向上させるために、本発明の実施例は間欠受信方法及び装置を提供する。
【課題を解決するための手段】
【０００６】
第１態様は間欠受信方法を提供し、端末は送信時刻にネットワーク機器へアップリンクデータを送信することと、前記送信時刻後の時間帯内に、前記端末は間欠受信ＤＲＸスリープ期間とＤＲＸアクティブ期間との間で切り替えることと、を含む。
【０００７】
端末がアップリンクデータを送信することにより、端末がアップリンクデータを送信する送信時刻後の時間帯内に間欠受信を行うようにトリガーし、このようにして、従来技術における端末が比較的一定の時刻にＤＲＸサイクルで間欠受信を行わなければならないことを避け、端末がＤＲＸ動作メカニズムを用いてネットワーク機器と通信する柔軟性を向上させる。
【０００８】
第１態様を参照して、第１態様のいくつかの実現方式では、前記方法は、更に、前記端末が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、前記送信時刻後の時間帯内に、前記端末がＤＲＸスリープ期間とＤＲＸアクティブ期間との間で切り替えることは、更に、前記送信時刻後の時間帯内に、前記端末が前記第１ＤＲＸパターンに基づいて前記ＤＲＸスリープ期間と前記ＤＲＸアクティブ期間との間で切り替えることを含む。
【０００９】
端末がアップリンクデータを送信することにより、端末がアップリンクデータを送信する送信時刻後の時間帯内に第１ＤＲＸパターンに基づいて間欠受信を行うようにトリガーし、このようにして、端末がＤＲＸ動作メカニズムを用いてネットワーク機器と通信する柔軟性を向上させる。
【００１０】
第１態様を参照して、第１態様のいくつかの実現方式では、前記端末が第１ＤＲＸパターンを決定することは、前記端末が前記ネットワーク機器から送信された、前記第１ＤＲＸパターンを示すための第１指示情報を受信することを含む。
【００１１】
第１態様を参照して、第１態様のいくつかの実現方式では、前記方法は、更に、前記端末が前記第１ＤＲＸパターンを利用する持続時間を決定することを含み、前記送信時刻後の時間帯内に、前記端末が前記第１ＤＲＸパターンに基づいて前記ＤＲＸスリープ期間と前記ＤＲＸアクティブ期間との間で切り替えることは、前記送信時刻後の時間帯である前記持続時間内に、前記端末が前記第１ＤＲＸパターンに基づいて前記ＤＲＸスリープ期間と前記ＤＲＸアクティブ期間との間で切り替えることを含む。
【００１２】
ネットワーク機器が第１ＤＲＸパターン及び端末の第１ＤＲＸパターンを利用する持続時間を端末へ送信することにより、端末が持続時間帯内に第１ＤＲＸパターンで間欠受信を行い、このようにして、従来技術における端末が一定のＤＲＸサイクルで間欠受信を行うことを避け、端末がＤＲＸ動作メカニズムを用いてネットワーク機器と通信する柔軟性を向上させる。
【００１３】
第１態様を参照して、第１態様のいくつかの実現方式では、前記方法は、更に、前記持続時間を経過した後、前記端末が第２ＤＲＸパターンに基づいて前記ＤＲＸスリープ期間と前記ＤＲＸアクティブ期間との間で切り替えることを含む。
【００１４】
ネットワーク機器が第１ＤＲＸパターン及び端末の第１ＤＲＸパターンを利用する持続時間を端末へ送信することにより、端末が持続時間帯内に第１ＤＲＸパターンで間欠受信を行い、持続時間を超える場合、端末が第２ＤＲＸパターンで間欠受信を行ってもよく、このようにして、端末がＤＲＸ動作メカニズムを用いてネットワーク機器と通信する柔軟性を向上させる。
【００１５】
第１態様を参照して、第１態様のいくつかの実現方式では、前記方法は、更に、前記端末が前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信することと、前記端末が前記第１ＤＲＸパターンに基づいて前記ＤＲＸスリープ期間と前記ＤＲＸアクティブ期間との間で切り替えることを停止することと、を含む。
【００１６】
ネットワーク機器は端末が前記第１ＤＲＸパターンに基づいて間欠受信を行うことを停止することを随時に第２指示情報で端末に指示することができ、このようにして、端末がＤＲＸ動作メカニズムを用いてネットワーク機器と通信する柔軟性を向上させる。
【００１７】
第１態様を参照して、第１態様のいくつかの実現方式では、前記端末が第１ＤＲＸパターンを決定する前に、前記方法は、更に、前記端末が第２ＤＲＸパターンに基づいて前記ＤＲＸスリープ期間と前記ＤＲＸアクティブ期間との間で切り替えることを含む。
【００１８】
第１態様を参照して、第１態様のいくつかの実現方式では、前記方法は、更に、前記端末が前記ネットワーク機器から送信された第３指示情報を受信し、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含む。
【００１９】
ネットワーク機器は第１ＤＲＸパターンを端末に指示するとともに、更に第１ＤＲＸパターンに適用するサービスタイプ情報、第１ＤＲＸパターンに適用するベアラ情報、第１ＤＲＸパターンに適用する論理チャネル情報及び第１ＤＲＸパターンに適用するＨＡＲＱプロセス情報を端末に指示することができ、それにより端末はＤＲＸパターンに適用するサービスタイプ情報、ＤＲＸパターンに適用するベアラ情報、ＤＲＸパターンに適用する論理チャネル情報及びＤＲＸパターンに適用するＨＡＲＱプロセス情報に基づいて対応するＤＲＸパターンを第１ＤＲＸパターンとして決定することができる。
【００２０】
第１態様を参照して、第１態様のいくつかの実現方式では、前記ＤＲＸスリープ期間に対応する時間帯及び／又は前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【００２１】
ネットワーク機器と端末とがサービスを伝送するサービス要件、データを伝送するために必要な符号化・復号時間等の要素に基づいて、ＤＲＸパターンにおけるＤＲＸスリープ期間に対応する時間帯及び／又は前記ＤＲＸアクティブ期間に対応する時間帯を決定し、端末が間欠受信によって端末の消費電力を減少させるとともに、サービス品質の伝送要件を満たす。
【００２２】
第１態様を参照して、第１態様のいくつかの実現方式では、前記送信時刻後の時間帯内に、前記端末がＤＲＸスリープ期間とＤＲＸアクティブ期間との間で切り替えることは、前記送信時刻後の時間帯内に、前記端末が前記ＤＲＸアクティブ期間に前記ネットワーク機器から送信された前記アップリンクデータのＡＣＫ情報を受信することと、前記端末が前記ＡＣＫ情報を受信した時刻に前記ＤＲＸアクティブ期間から前記ＤＲＸスリープ期間に切り替えることと、を含む。
【００２３】
第１態様を参照して、第１態様のいくつかの実現方式では、前記方法は、更に、前記送信時刻後の時間帯内に、前記端末が前記ＤＲＸアクティブ期間に前記ネットワーク機器から送信された前記アップリンクデータのＮＡＣＫ情報を受信することと、前記端末が前記ネットワーク機器へ前記アップリンクデータを改めて送信することと、を含む。
【００２４】
第１態様を参照して、第１態様のいくつかの実現方式では、前記方法は、更に、前記送信時刻後の時間帯内に、前記ＤＲＸアクティブ期間に対応する時間帯を経過した後、前記端末が前記ネットワーク機器から送信された前記アップリンクデータのＡＣＫ情報を受信していない場合、前記端末が前記ネットワーク機器へ前記アップリンクデータを送信することを含む。
【００２５】
第１態様を参照して、第１態様のいくつかの実現方式では、前記送信時刻後の時間帯内に、前記端末がＤＲＸスリープ期間とＤＲＸアクティブ期間との間で切り替えることは、前記送信時刻後の時間帯内に、前記端末が前記ＤＲＸアクティブ期間に前記ネットワーク機器から送信された前記アップリンクデータのＮＡＣＫ情報を受信することと、前記端末が前記ＮＡＣＫ情報を受信した時刻に前記ＤＲＸアクティブ期間から前記ＤＲＸスリープ期間に切り替えることと、を含む。
【００２６】
端末がネットワーク機器から送信されたアップリンクデータのＮＡＣＫ情報を受信したとき、端末がネットワーク機器へアップリンクデータを送信し続けてもよいが、アップリンク伝送の遅延という要素を考慮する上で、ネットワーク機器が一定期間内に端末へフィードバック情報を送信しない可能性があり、端末の電力消費量を削減するために、端末がＤＲＸスリープ期間に入ってもよい。
【００２７】
第１態様を参照して、第１態様のいくつかの実現方式では、前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、前記第１時間帯内に、前記端末がＤＲＸアクティブ期間にあることと、前記送信時刻後の時間帯内、且つ前記第１時間帯を経過した後、前記端末が前記ＤＲＸアクティブ期間から前記ＤＲＸスリープ期間に切り替えることと、を含む。
【００２８】
第１態様を参照して、第１態様のいくつかの実現方式では、前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、前記第１時間帯内に、前記端末がＤＲＸスリープ期間にあることと、前記送信時刻後の時間帯内、且つ前記第１時間帯を経過した後、前記端末が前記ＤＲＸスリープ期間から前記ＤＲＸアクティブ期間に切り替えることと、を含む。
【００２９】
第１態様を参照して、第１態様のいくつかの実現方式では、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【００３０】
ネットワーク機器と端末とがサービスを伝送するサービス要件、データを伝送するために必要な符号化・復号時間等の要素に基づいて第１時間帯の時間長を決定し、端末が間欠受信によって端末の消費電力を減少させるとともに、サービス品質の伝送要件を満たす。
【００３１】
第２態様は間欠受信方法を提供し、ネットワーク機器は端末が送信時刻に送信したアップリンクデータを受信することと、前記ネットワーク機器は、前記送信時刻後の時間帯内且つ前記端末が間欠受信ＤＲＸアクティブ期間にあるとき、前記端末へダウンリンクデータを送信することと、を含む。
【００３２】
端末がアップリンクデータを送信することにより、端末がアップリンクデータを送信する送信時刻後の時間帯内に間欠受信を行うようにトリガーし、このようにして、従来技術における端末が比較的一定の時刻にＤＲＸサイクルで間欠受信を行わなければならないことを避け、端末がＤＲＸ動作メカニズムを用いてネットワーク機器と通信する柔軟性を向上させる。
【００３３】
第２態様を参照して、第２態様のいくつかの実現方式では、前記方法は、更に、前記ネットワーク機器が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、前記ネットワーク機器が前記送信時刻後の時間帯内に前記端末へダウンリンクデータを送信することは、更に、前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することを含む。
【００３４】
端末がアップリンクデータを送信することにより、端末がアップリンクデータを送信する送信時刻後の時間帯内に第１ＤＲＸパターンに基づいて間欠受信を行うようにトリガーし、このようにして、端末がＤＲＸ動作メカニズムを用いてネットワーク機器と通信する柔軟性を向上させる。
【００３５】
第２態様を参照して、第２態様のいくつかの実現方式では、前記方法は、更に、前記ネットワーク機器が前記第１ＤＲＸパターンを示すための第１指示情報を前記端末へ送信することを含む。
【００３６】
第２態様を参照して、第２態様のいくつかの実現方式では、前記ネットワーク機器が第１ＤＲＸパターン及び第２対応関係に基づいて前記端末のために前記第１ＤＲＸパターンを設定し、前記第２対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間、ＤＲＸパターンとアップリンクデータ及び／又はダウンリンクデータを復号するために必要な時間、ＤＲＸパターンとアップリンクデータ及び／又はダウンリンクデータを伝送するために必要な伝送時間のうちの少なくとも１つを含む。
【００３７】
第２態様を参照して、第２態様のいくつかの実現方式では、前記方法は、更に、前記ネットワーク機器が前記第１ＤＲＸパターンを利用する持続時間を前記端末へ送信することを含み、前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することは、前記送信時刻後の前記時間帯である前記持続時間内に、前記ネットワーク機器が前記第１ＤＲＸパターンに基づいて前記端末の前記ＤＲＸアクティブ期間に対応する時間帯にある際に前記端末へ前記ダウンリンクデータを送信することを含む。
【００３８】
ネットワーク機器が第１ＤＲＸパターン及び端末の第１ＤＲＸパターンを利用する持続時間を端末へ送信することにより、端末が持続時間帯内に第１ＤＲＸパターンで間欠受信を行い、このようにして、従来技術における端末が一定のＤＲＸサイクルで間欠受信を行うことを避け、端末がＤＲＸ動作メカニズムを用いてネットワーク機器と通信する柔軟性を向上させる。
【００３９】
第２態様を参照して、第２態様のいくつかの実現方式では、前記方法は、更に、前記ネットワーク機器が前記端末の前記第１ＤＲＸパターンに基づいて前記ＤＲＸスリープ期間と前記ＤＲＸアクティブ期間との間で切り替えないことを指示するための第２指示情報を前記端末へ送信することを含む。
【００４０】
ネットワーク機器は端末が前記第１ＤＲＸパターンに基づいて間欠受信を行うことを停止することを随時に第２指示情報で端末に指示することができ、このようにして、端末がＤＲＸ動作メカニズムを用いてネットワーク機器と通信する柔軟性を向上させる。
【００４１】
第２態様を参照して、第２態様のいくつかの実現方式では、前記方法は、更に、前記ネットワーク機器が第１ＤＲＸパターン及び第１対応関係に基づいて端末の前記第１ＤＲＸパターンを利用しないと決定することを含み、前記第１対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間、ＤＲＸパターンとアップリンクデータ及び／又はダウンリンクデータを復号するために必要な時間、ＤＲＸパターンとアップリンクデータ及び／又はダウンリンクデータを伝送するために必要な伝送時間のうちの少なくとも１つを含む。
【００４２】
第２態様を参照して、第２態様のいくつかの実現方式では、前記方法は、更に、前記ネットワーク機器が第３指示情報を前記端末へ送信することを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含む。
【００４３】
ネットワーク機器は第１ＤＲＸパターンを端末に指示するとともに、更に第１ＤＲＸパターンに適用するサービスタイプ情報、第１ＤＲＸパターンに適用するベアラ情報、第１ＤＲＸパターンに適用する論理チャネル情報及び第１ＤＲＸパターンに適用するＨＡＲＱプロセス情報を端末に指示することができ、それにより端末はＤＲＸパターンに適用するサービスタイプ情報、ＤＲＸパターンに適用するベアラ情報、ＤＲＸパターンに適用する論理チャネル情報及びＤＲＸパターンに適用するＨＡＲＱプロセス情報に基づいて対応するＤＲＸパターンを第１ＤＲＸパターンとして決定することができる。
【００４４】
第２態様を参照して、第２態様のいくつかの実現方式では、前記ＤＲＸスリープ期間に対応する時間帯及び前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【００４５】
ネットワーク機器と端末とがサービスを伝送するサービス要件、データを伝送するために必要な符号化・復号時間等の要素に基づいて、ＤＲＸパターンにおけるＤＲＸスリープ期間に対応する時間帯及び／又は前記ＤＲＸアクティブ期間に対応する時間帯を決定し、端末が間欠受信によって端末の消費電力を減少させるとともに、サービス品質の伝送要件を満たす。
【００４６】
第２態様を参照して、第２態様のいくつかの実現方式では、前記ネットワーク機器が前記送信時刻後の時間帯内に前記端末へダウンリンクデータを送信することは、前記送信時刻後の時間帯内、且つ前記端末が前記ＤＲＸアクティブ期間にあるとき、前記ネットワーク機器が前記ダウンリンクデータに含まれる前記アップリンクデータのＡＣＫ情報を前記端末へ送信することを含む。
【００４７】
第２態様を参照して、第２態様のいくつかの実現方式では、前記ネットワーク機器が前記送信時刻後の時間帯内に前記端末へダウンリンクデータを送信することは、前記送信時刻後の時間帯内、且つ前記端末が前記ＤＲＸアクティブ期間にあるとき、前記ネットワーク機器が前記端末へ前記アップリンクデータのＮＡＣＫ情報を送信することと、前記ネットワーク機器が前記端末から送信された前記アップリンクデータを改めて受信することと、を含む。
【００４８】
第２態様を参照して、第２態様のいくつかの実現方式では、前記ネットワーク機器が前記送信時刻後の時間帯内に前記端末へダウンリンクデータを送信することは、前記送信時刻後の時間帯内、且つ前記ＤＲＸアクティブ期間に対応する時間帯を経過した後、前記ネットワーク機器が前記端末へ前記アップリンクデータのＡＣＫ情報を送信していない場合、前記ネットワーク機器が前記端末から送信された前記アップリンクデータを受信する準備をすることを含む。
【００４９】
第２態様を参照して、第２態様のいくつかの実現方式では、前記送信時刻後の時間帯が第１時間帯を含み、前記第１時間帯の開始時刻が前記送信時刻であり、且つ前記端末が前記第１時間帯内にＤＲＸアクティブ期間にあり、前記ネットワーク機器が前記送信時刻後の時間帯内に前記端末へダウンリンクデータを送信することは、前記ネットワーク機器が前記第１時間帯内に前記端末へ前記ダウンリンクデータを送信することを含む。
【００５０】
第２態様を参照して、第２態様のいくつかの実現方式では、前記送信時刻後の時間帯が第１時間帯を含み、前記第１時間帯の開始時刻が前記送信時刻であり、且つ前記端末が前記第１時間帯内にＤＲＸスリープ期間にあり、前記ネットワーク機器が前記送信時刻後の時間帯内に前記端末へダウンリンクデータを送信することは、前記送信時刻後の時間帯内、且つ前記第１時間帯を経過した後、前記ネットワーク機器が前記端末へ前記ダウンリンクデータを送信することを含む。
【００５１】
第２態様を参照して、第２態様のいくつかの実現方式では、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【００５２】
ネットワーク機器と端末とがサービスを伝送するサービス要件、データを伝送するために必要な符号化・復号時間等の要素に基づいて第１時間帯の時間長を決定し、端末が間欠受信によって端末の消費電力を減少させるとともに、サービス品質の伝送要件を満たす。
【００５３】
第３態様は間欠受信装置を提供し、第１態様における方法を実行するためのモジュールを含む。
【００５４】
第４態様は間欠受信装置を提供し、第２態様における方法を実行するためのモジュールを含む。
【００５５】
第５態様は間欠受信装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサが前記送受信機によって第１態様における方法を実行する。
【００５６】
第６態様は間欠受信装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサが前記送受信機によって第２態様における方法を実行する。
【００５７】
第７態様はコンピュータ可読媒体を提供し、前記コンピュータ可読媒体は実行のためのプログラムコードを記憶することに用いられ、前記プログラムコードは第１態様における方法を実行するための命令を含む。
【００５８】
第８態様はコンピュータ可読媒体を提供し、前記コンピュータ可読媒体は実行のためのプログラムコードを記憶することに用いられ、前記プログラムコードは第２態様における方法を実行するための命令を含む。
【図面の簡単な説明】
【００５９】
【図１】図１は本発明の実施例に応用した無線通信システム１００を示す図である。
【図２】図２は本発明の実施例の間欠受信方法の模式的なフローチャートである。
【図３】図３は本発明の実施例のＤＲＸパターンの模式図である。
【図４】図４は本発明の他の実施例のＤＲＸパターンの模式図である。
【図５】図５は本発明の他の実施例の端末がＤＲＸ伝送を行う模式図である。
【図６】図６は本発明の他の実施例のＤＲＸパターンの模式図である。
【図７】図７は本発明の他の実施例の間欠受信方法の模式的なフローチャートである。
【図８】図８は本発明の実施例の間欠受信装置の模式的なブロック図である。
【図９】図９は本発明の他の実施例の間欠受信装置の模式的なブロック図である。
【図１０】図１０は本発明の他の実施例の間欠受信の模式的なブロック図である。
【図１１】図１１は本発明の他の実施例の間欠受信の模式的なブロック図である。
【発明を実施するための形態】
【００６０】
以下、図面を参照しながら本発明の実施例の技術案を説明する。
【００６１】
図１は本発明の実施例に応用した無線通信システム１００を示す図である。該無線通信システム１００はネットワーク機器１１０を備えてもよい。ネットワーク機器１１０は端末装置と通信する機器であってもよい。ネットワーク機器１００は特定の地理的領域に通信カバレッジを提供することができ、且つ該カバレッジ領域内の端末装置と通信することができる。
【００６２】
図１に１つのネットワーク機器及び２つの端末を例示的に示し、選択肢として、該無線通信システム１００は複数のネットワーク機器を備えてもよく、且つ各ネットワーク機器のカバレッジ範囲内に他の数の端末を含んでもよく、本発明の実施例は制限しない。
【００６３】
選択肢として、該無線通信システム１００は更にネットワーク制御装置、モビリティ管理エンティティ等の他のネットワークエンティティを備えてもよく、本発明の実施例は制限しない。
【００６４】
本発明の実施例の技術案は様々な通信システム、例えば、グローバルモバイル通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ロングタームエボリューションアドバンスド（ＬＴＥ−Ａ：Ａｄｖａｎｃｅｄ  ｌｏｎｇ  ｔｅｒｍ  ｅｖｏｌｕｔｉｏｎ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＮＲ（Ｎｅｗ  Ｒａｄｉｏ  Ａｃｃｅｓｓ  Ｔｅｃｈｎｏｌｏｇｙ）、５Ｇ等に適用されてもよいと理解すべきである。
【００６５】
更に、本発明の実施例において、端末装置は移動局（ＭＳ：Ｍｏｂｉｌｅ  Ｓｔａｔｉｏｎ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及びポータブル機器（ｐｏｒｔａｂｌｅ  ｅｑｕｉｐｍｅｎｔ）等を含んでもよいが、それらに限らず、該端末装置は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、例えば、端末装置は携帯電話（「セルラー式」電話と称されてもよい）、無線通信機能を有するコンピュータ等であってもよく、端末装置は更に携帯型、ポケットサイズ、ポータブル式、コンピュータが内蔵された又は車載のモバイルデバイスであってもよいと理解すべきである。
【００６６】
本発明の実施例において、ネットワーク機器はアクセスネットワーク装置であってもよく、例えば基地局、送受信ポイント（ＴＲＰ：Ｔｒａｎｓｍｉｔ  ａｎｄ  Ｒｅｃｅｉｖｅ  Ｐｏｉｎｔ）又はアクセスポイントであってもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける発展型基地局（ｅＮＢ又はｅ−ＮｏｄｅＢ：ｅｖｏｌｖｅｄ  Ｎｏｄｅ  Ｂ）であってもよく、更にＮＲ又は５Ｇの基地局（ｇＮＢ）であってもよく、本発明の実施例は具体的に制限しない。
【００６７】
図２は本発明の実施例の間欠受信方法の模式的なフローチャートである。図２に示す方法は２１０と２２０を含む。
【００６８】
２１０、端末は送信時刻にネットワーク機器へアップリンクデータを送信する。
【００６９】
具体的に、上記送信時刻はネットワーク機器が端末のために設定した特定の時刻であってもよいし、任意の時刻であってもよく、端末がアップリンクデータを送信する必要があるとき、任意の時刻に該アップリンクデータを送信してもよく、本発明の実施例は具体的に制限しない。
【００７０】
２２０、前記送信時刻後の時間帯内に、前記端末は間欠受信ＤＲＸスリープ期間とＤＲＸアクティブ期間との間で切り替える。
【００７１】
具体的に、上記端末がＤＲＸアクティブ期間にあるとき、受信アンテナを起動して、ＰＤＣＣＨを監視し、ＰＤＣＣＨを介してダウンリンク制御情報を受信することができ、端末がＤＲＸスリープ期間にあるとき、受信アンテナを起動しなくてもよく、ネットワーク機器は端末がＤＲＸスリープ期間にあるとき、該端末へダウンリンクデータを送信しなくてもよい。
【００７２】
上記端末が接続状態にあってもよく、端末の接続状態における間欠受信（ＡＣＴＩＶＥ  ＤＲＸ）によってユーザーデータチャネルを監視することができる。
【００７３】
選択肢として、一実施例として、前記方法は、更に、前記端末が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、前記送信時刻後の時間帯内に、前記端末がＤＲＸスリープ期間とＤＲＸアクティブ期間との間で切り替えることは、更に、前記送信時刻後の時間帯内に、前記端末が前記第１ＤＲＸパターンに基づいて前記ＤＲＸスリープ期間と前記ＤＲＸアクティブ期間との間で切り替えることを含む。
【００７４】
なお、上記第１ＤＲＸパターンは端末のために予め設定されたものであってもよいし、ネットワーク機器が端末へ送信したものであってもよく、本発明の実施例は端末が第１ＤＲＸパターンを決定する具体的な形式を具体的に制限しない。
【００７５】
例えば、図３は本発明の実施例のＤＲＸパターンの模式図である。図３に示すＤＲＸ伝送メカニズムによれば、該端末が送信時刻にネットワーク機器へアップリンクデータを送信した後、該端末がＤＲＸパターンでＤＲＸ伝送を行うようにトリガーし、該端末が第１ＤＲＸアクティブ期間に入り、該端末が第１ＤＲＸアクティブ期間に対応する時間帯内にＤＲＸアクティブ期間にあり、該端末は第１ＤＲＸアクティブ期間にネットワーク機器から送信された送信時刻に対して送信するアップリンクデータのフィードバック情報を受信することができ、第１アクティブ期間に対応する時間帯が終了した後、該端末がＤＲＸスリープ期間に入り、ＤＲＸパターンで示される第２ＤＲＸアクティブ期間の開始時刻から、該端末が第２ＤＲＸアクティブ期間に入る。
【００７６】
更に、例えば、図４は本発明の他の実施例のＤＲＸパターンの模式図である。図４に示すＤＲＸ伝送メカニズムによれば、端末がネットワーク機器へアップリンクデータを送信する際に遅延する可能性があって、ネットワーク機器が該アップリンクデータを復号するために必要な時間を考慮する上で、ネットワーク機器は端末がネットワーク機器へアップリンクデータを送信した直後に、端末へ該アップリンクデータに対するフィードバック情報を送信することがなく、このため、端末の電力消費量を更に節約するために、図４に示すＤＲＸパターンで示されるように、該端末が第１送信時刻にネットワーク機器へ第１アップリンクデータを送信した後、該端末が第１ＤＲＸスリープ期間に入るようにトリガーすることができ、該端末が第１ＤＲＸスリープ期間に対応する時間帯内にＤＲＸスリープ期間にあり、図４に示すＤＲＸパターンで示されるＤＲＸアクティブ期間の開始時刻から、該端末がＤＲＸアクティブ期間に入り、該端末は第１ＤＲＸアクティブ期間にネットワーク機器から送信された第１時刻に対して送信したアップリンクデータのフィードバック情報を受信することができ、図４に示すＤＲＸパターンで示される第２ＤＲＸスリープ期間の開始時刻から、端末がＤＲＸスリープ期間に入るように再びトリガーする。
【００７７】
選択肢として、一実施例として、前記端末が第１ＤＲＸパターンを決定することは、前記端末が伝送対象のダウンリンクデータに対応するサービス属性、ベアラタイプ又はＨＡＲＱプロセスに基づいてＤＲＸパターン集合から前記第１ＤＲＸパターンを決定することを含み、前記端末のＤＲＸパターン集合に複数のＤＲＸパターンを含み、前記ＤＲＸパターン集合における異なるＤＲＸパターンが異なるタイプのサービス属性、ベアラタイプ又はハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）プロセスに対応する。
【００７８】
なお、上記ＤＲＸパターン集合はネットワーク機器が端末のために予め設定されたものであってもよく、上記ＤＲＸ集合は更に通信プロトコルに基づいて設定されたものであってもよく、本発明の実施例は端末がＤＲＸパターンを取得する具体的な方式を制限しない。
【００７９】
選択肢として、一実施例として、前記端末が第１ＤＲＸパターンを決定することは、前記端末が前記ネットワーク機器から送信された、前記第１ＤＲＸパターンを示すための第１指示情報を受信することを含む。
【００８０】
上記第１指示情報がＲＲＣシグナリング又は通過ＭＡＣ層シグナリングに含まれてもよく、本発明の実施例は具体的に制限しないと理解すべきである。
【００８１】
選択肢として、一実施例として、前記方法は、更に、前記端末が前記第１ＤＲＸパターンを利用する持続時間を決定することを含み、前記送信時刻後の時間帯内に、前記端末が前記第１ＤＲＸパターンに基づいて前記ＤＲＸスリープ期間と前記ＤＲＸアクティブ期間との間で切り替えることは、前記送信時刻後の時間帯である前記持続時間内に、前記端末が前記第１ＤＲＸパターンに基づいて前記ＤＲＸスリープ期間と前記ＤＲＸアクティブ期間との間で切り替えることを含む。
【００８２】
具体的に、上記持続時間は端末がアップリンクデータを送信する送信時刻後の任意の時間帯であってもよい。例えば、上記持続時間の開始時刻は端末がアップリンクデータを送信する送信時刻であってもよく、上記持続時間の開始時刻は更に端末がアップリンクデータを送信する送信時刻後の任意の時間帯であってもよい。
【００８３】
選択肢として、一実施例として、前記方法は、更に、前記持続時間を経過した後、前記端末が第２ＤＲＸパターンに基づいて前記ＤＲＸスリープ期間と前記ＤＲＸアクティブ期間との間で切り替えることを含む。
【００８４】
具体的に、上記持続時間を経過した後、端末は第１ＤＲＸパターンから第２ＤＲＸパターンに切り替えてもよく、一定期間帯内に、該端末が第２ＤＲＸパターンでＤＲＸスリープ期間とＤＲＸアクティブ期間との間で切り替える。
【００８５】
上記第２ＤＲＸパターンは従来技術におけるタイマー及びＤＲＸサイクルに基づいて規定した端末がＤＲＸを行う動作メカニズムを示すことに用いられてもよく、つまり、第２ＤＲＸパターンはＤＲＸサイクル内に、端末がスリープ期間に対応する時間帯にあることと、端末がアクティブ期間に対応する時間帯にあることとを示すことに用いられてもよく、上記第２ＤＲＸパターンは更に一定期間帯内に、端末がスリープ期間に対応する時間帯にあることと、端末がアクティブ期間に対応する時間帯にあることとを示すことに用いられてもよく、本発明の実施例は具体的に制限しないと理解すべきである。
【００８６】
更に、上記第１ＤＲＸパターン及び第２ＤＲＸパターンが同じＤＲＸパターン（Ｐａｔｔｅｒｎ）であってもよいし、異なるＤＲＸパターンであってもよく、本発明の実施例は具体的に制限しないと理解すべきである。
【００８７】
選択肢として、一実施例として、前記方法は、更に、前記端末が前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信することを含む。
【００８８】
具体的に、端末は常に上記第１ＤＲＸパターンでＤＲＸスリープ期間とＤＲＸアクティブ期間との間で切り替えることができ、該端末が上記第２指示情報を受信した後、該端末が上記第１ＤＲＸパターンでＤＲＸスリープ期間とＤＲＸアクティブ期間との間で切り替えない。
【００８９】
選択肢として、一実施例として、前記端末が第１ＤＲＸパターンを決定する前に、前記方法は、更に、前記端末が第２ＤＲＸパターンに基づいて前記ＤＲＸスリープ期間と前記ＤＲＸアクティブ期間との間で切り替えることを含む。
【００９０】
具体的に、端末が第２ＤＲＸパターンで前記ＤＲＸスリープ期間と前記ＤＲＸアクティブ期間との間で切り替え、端末が第１ＤＲＸパターンを決定した後、該端末は第１ＤＲＸパターンで前記ＤＲＸスリープ期間と前記ＤＲＸアクティブ期間との間で切り替えることができる。
【００９１】
選択肢として、一実施例として、前記方法は、更に、前記端末が前記ネットワーク機器から送信された第３指示情報を受信することを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【００９２】
具体的に、上記第１ＤＲＸパターンに適用するベアラ情報は第１ＤＲＸパターンに適用するベアラのベアラタイプ及び／又はベアラ識別子を含んでもよく、上記第１ＤＲＸパターンに適用する論理チャネル情報は第１ＤＲＸパターンに適用する論理チャネルの識別子を含んでもよく、上記第１ＤＲＸパターンに適用するＨＡＲＱプロセス情報は第１ＤＲＸパターンに適用するＨＡＲＱプロセス番号を含んでもよい。
【００９３】
端末は第１ＤＲＸに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報に基づいて、異なるデータ伝送のために異なるＤＲＸパターンを決定することにより、データ伝送中にデータ伝送要件を満たすとともに、端末の電力消費量を更に節約することができる。
【００９４】
選択肢として、一実施例として、前記第１ＤＲＸパターンで示される、前記送信時刻後の時間帯内の前記ＤＲＸスリープ期間に対応する時間帯及び前記ＤＲＸアクティブ期間に対応する時間帯は、前記端末がダウンリンクデータを伝送するために対応するサービス品質又はサービス属性、アップリンクデータ及び／又はダウンリンクデータの符号化・復号時間、アップリンクデータ及び／又はダウンリンクデータを伝送するために必要な伝送時間のうちの少なくとも１つの情報によって決定される。
【００９５】
選択肢として、一実施例として、前記送信時刻後の時間帯内に、前記端末がＤＲＸスリープ期間とＤＲＸアクティブ期間との間で切り替えることは、前記送信時刻後の時間帯内に、前記端末が前記ＤＲＸアクティブ期間に前記ネットワーク機器から送信された前記アップリンクデータの確認文字（ＡＣＫ：Ａｃｋｎｏｗｌｅｄｇｅｍｅｎｔ）情報を受信することと、前記端末が前記ＡＣＫ情報を受信した時刻に前記ＤＲＸアクティブ期間から前記ＤＲＸスリープ期間に切り替えることと、を含む。
【００９６】
具体的に、ＤＲＸアクティブ期間にある端末は、ネットワーク機器から送信された受信アップリンクデータのＡＣＫ情報を受信すると、該端末がＤＲＸアクティブ期間からＤＲＸスリープ期間に直ちに切り替える。
【００９７】
選択肢として、一実施例として、前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、前記第１時間帯内に、前記端末がＤＲＸアクティブ期間にあることと、前記送信時刻後の時間帯内、且つ前記第１時間帯を経過した後、前記端末が前記ＤＲＸアクティブ期間から前記ＤＲＸスリープ期間に切り替えることと、を含む。
【００９８】
例えば、図５は本発明の他の実施例の端末がＤＲＸ伝送を行う模式図である。図５に示すＤＲＸ伝送メカニズムによれば、該端末が第１送信時刻にネットワーク機器へ第１アップリンクデータを送信することにより、該端末が第１ＤＲＸアクティブ期間に入るようにトリガーし、該端末が第１ＤＲＸアクティブ期間に対応する時間帯内にＤＲＸアクティブ期間にあり、該端末は第１ＤＲＸアクティブ期間にネットワーク機器から送信された第１送信時刻に対して送信したアップリンクデータのフィードバック情報を受信することができ、第１アクティブ期間に対応する時間帯が終了した後、該端末がＤＲＸスリープ期間に入り、該端末が送信の必要がある第２アップリンクデータがあると、端末がＤＲＸアクティブ期間（図５における第２ＤＲＸアクティブ期間参照）に入るように再びトリガーする。
【００９９】
選択肢として、一実施例として、前記送信時刻後の時間帯内に、前記端末がＤＲＸスリープ期間とＤＲＸアクティブ期間との間で切り替えることは、前記送信時刻後の時間帯内に、前記ＤＲＸアクティブ期間に対応する時間帯を経過した後、前記端末が前記ネットワーク機器から送信された前記アップリンクデータのＡＣＫ情報を受信していない場合、前記端末が前記ネットワーク機器へ前記アップリンクデータを送信することを含む。
【０１００】
具体的に、端末がＤＲＸアクティブ期間に対応する時間全体内に前記ネットワーク機器から送信されたアップリンクデータのＡＣＫ情報を受信していないこととは、端末がＤＲＸアクティブ期間に対応する時間全体内にネットワーク機器から送信された該アップリンクデータに対するフィードバック情報（例えば、ＡＣＫ情報又はＮＡＣＫ情報）を受信しておらず、端末がネットワーク機器へ該アップリンクデータを改めて送信してもよいことを意味してもよく、端末がＤＲＸアクティブ期間に対応する時間全体内に前記ネットワーク機器から送信されたアップリンクデータのＡＣＫ情報を受信していないこととは、更に、端末がＤＲＸアクティブ期間に対応する時間全体内にネットワーク機器から送信された該アップリンクデータに対して送信した否定確認（ＮＡＣＫ：Ｎｅｇａｔｉｖｅ  Ａｃｋｎｏｗｌｅｄｇｅｍｅｎｔ）情報を受信し、端末がネットワーク機器へ該アップリンクデータを改めて送信してもよいことを意味してもよい。
【０１０１】
選択肢として、一実施例として、前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、前記第１時間帯内に、前記端末がＤＲＸスリープ期間にあることと、前記送信時刻後の時間帯内、且つ前記第１時間帯を経過した後、前記端末が前記ＤＲＸスリープ期間から前記ＤＲＸアクティブ期間に切り替えることと、を含む。
【０１０２】
例えば、図６は本発明の他の実施例のＤＲＸパターンの模式図である。図６に示すＤＲＸ伝送メカニズムによれば、端末がネットワーク機器へアップリンクデータを送信する際に遅延する可能性があって、ネットワーク機器が該アップリンクデータを復号するために必要な時間を考慮する上で、ネットワーク機器は端末がネットワーク機器へアップリンクデータを送信した直後に、端末へ該アップリンクデータに対するフィードバック情報を送信することがなく、このため、端末の電力消費量を更に節約するために、該端末が第１送信時刻にネットワーク機器へ第１アップリンクデータを送信した後、該端末が第１ＤＲＸスリープ期間に入るようにトリガーすることができ、該端末が第１ＤＲＸスリープ期間に対応する時間帯内にＤＲＸスリープ期間にあり、第１スリープ期間に対応する時間帯が終了した後、該端末がＤＲＸアクティブ期間に入り、該端末は第１ＤＲＸアクティブ期間にネットワーク機器から送信された第１時刻に対して送信したアップリンクデータのフィードバック情報を受信することができ、該端末が送信の必要がある第２アップリンクデータがあると、端末がＤＲＸスリープ期間（図６における第２ＤＲＸスリープ期間参照）に入るように再びトリガーする。
【０１０３】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１０４】
選択肢として、一実施例として、前記送信時刻後の時間帯内に、前記端末がＤＲＸスリープ期間とＤＲＸアクティブ期間との間で切り替えることは、前記送信時刻後の時間帯内に、前記端末が前記ＤＲＸアクティブ期間に前記ネットワーク機器から送信された前記アップリンクデータのＮＡＣＫ情報を受信することと、前記端末が前記ＮＡＣＫ情報を受信した時刻に、前記ＤＲＸアクティブ期間から前記ＤＲＸスリープ期間に切り替えることと、を含む。
【０１０５】
具体的に、端末がネットワーク機器から送信されたアップリンクデータのＮＡＣＫ情報を受信したとき、端末はネットワーク機器へアップリンクデータを送信し続けてもよいが、アップリンク伝送の遅延という要素を考慮する上で、ネットワーク機器は一定期間内に端末へフィードバック情報を送信しない可能性があり、端末の電力消費量を削減するために、端末がＤＲＸスリープ期間に入ってもよい。
【０１０６】
図７は本発明の他の実施例の間欠受信方法の模式的なフローチャートである。図７に示す方法は、
ネットワーク機器は端末が送信時刻に送信したアップリンクデータを受信する７１０と、
前記ネットワーク機器は、前記送信時刻後の時間帯内且つ前記端末が間欠受信ＤＲＸアクティブ期間にあるとき、前記端末へダウンリンクデータを送信する７２０と、を含む。
【０１０７】
選択肢として、一実施例として、前記方法は、更に、前記ネットワーク機器が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、前記ネットワーク機器が前記送信時刻後の時間帯内に前記端末へダウンリンクデータを送信することは、更に、前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することを含む。
【０１０８】
選択肢として、一実施例として、前記方法は、更に、前記ネットワーク機器が前記第１ＤＲＸパターンを示すための第１指示情報を前記端末へ送信することを含む。
【０１０９】
選択肢として、一実施例として、前記方法は、更に、前記ネットワーク機器が第１ＤＲＸパターン及び第２対応関係に基づいて前記端末のために前記第１ＤＲＸパターンを設定することを含み、前記第２対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間、ＤＲＸパターンとアップリンクデータ及び／又はダウンリンクデータを復号するために必要な時間、ＤＲＸパターンとアップリンクデータ及び／又はダウンリンクデータを伝送するために必要な伝送時間のうちの少なくとも１つを含む。
【０１１０】
選択肢として、一実施例として、前記方法は、更に、前記ネットワーク機器が前記第１ＤＲＸパターンを利用する持続時間を前記端末へ送信することを含み、前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することは、前記送信時刻後の前記時間帯である前記持続時間内に、前記ネットワーク機器が前記第１ＤＲＸパターンに基づいて前記端末の前記ＤＲＸアクティブ期間に対応する時間帯にある際に前記端末へ前記ダウンリンクデータを送信することを含む。
【０１１１】
選択肢として、一実施例として、前記方法は、更に、前記ネットワーク機器が前記端末の前記第１ＤＲＸパターンに基づいて前記ＤＲＸスリープ期間と前記ＤＲＸアクティブ期間との間で切り替えないことを指示するための第２指示情報を前記端末へ送信することを含む。
【０１１２】
選択肢として、一実施例として、前記方法は、更に、前記ネットワーク機器が第１ＤＲＸパターン及び第１対応関係に基づいて端末が前記第１ＤＲＸパターンを利用しないと決定することを含み、前記第１対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間、ＤＲＸパターンとアップリンクデータ及び／又はダウンリンクデータを復号するために必要な時間、ＤＲＸパターンとアップリンクデータ及び／又はダウンリンクデータを伝送するために必要な伝送時間のうちの少なくとも１つを含む。
【０１１３】
具体的に、ネットワーク機器は伝送対象のダウンリンクデータに対応するサービスのサービスタイプに基づいて、端末のためにＤＲＸパターンをリアルタイムに設定することができ、ネットワーク機器は更にアップリンクデータ及び／又はダウンリンクデータを符号化するために必要な時間に基づいて、端末のためにＤＲＸパターンをリアルタイムに設定することができ、ネットワーク機器は更にアップリンクデータ及び／又はダウンリンクデータを復号するために必要な時間に基づいて、端末のためにＤＲＸパターンをリアルタイムに設定することができ、ネットワーク機器は更にＤＲＸパターンとアップリンクデータ及び／又はダウンリンクデータを伝送するために必要な伝送時間とに基づいて、端末のためにＤＲＸパターンをリアルタイムに設定することができる。
【０１１４】
選択肢として、一実施例として、前記方法は、更に、前記ネットワーク機器が第３指示情報を前記端末へ送信することを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【０１１５】
選択肢として、一実施例として、前記ＤＲＸスリープ期間に対応する時間帯及び前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１１６】
選択肢として、一実施例として、前記ネットワーク機器が前記送信時刻後の時間帯内に前記端末へダウンリンクデータを送信することは、前記送信時刻後の時間帯内、且つ前記端末が前記ＤＲＸアクティブ期間にあるとき、前記ネットワーク機器が前記ダウンリンクデータに含まれる前記アップリンクデータのＡＣＫ情報を前記端末へ送信することを含む。
【０１１７】
選択肢として、一実施例として、前記ネットワーク機器が前記送信時刻後の時間帯内に前記端末へダウンリンクデータを送信することは、前記送信時刻後の時間帯内、且つ前記端末が前記ＤＲＸアクティブ期間にあるとき、前記ネットワーク機器が前記端末へ前記アップリンクデータのＮＡＣＫ情報を送信することと、前記ネットワーク機器が前記端末から送信された前記アップリンクデータを改めて受信することと、を含む。
【０１１８】
選択肢として、一実施例として、前記ネットワーク機器が前記送信時刻後の時間帯内に前記端末へダウンリンクデータを送信することは、前記送信時刻後の時間帯内、且つ前記ＤＲＸアクティブ期間に対応する時間帯を経過した後、前記ネットワーク機器が前記端末へ前記アップリンクデータのＡＣＫ情報を送信していない場合、前記ネットワーク機器が前記端末から送信された前記アップリンクデータを受信する準備をすることを含む。
【０１１９】
選択肢として、一実施例として、前記送信時刻後の時間帯が第１時間帯を含み、前記第１時間帯の開始時刻が前記送信時刻であり、且つ前記端末が前記第１時間帯内にＤＲＸアクティブ期間にあり、前記ネットワーク機器が前記送信時刻後の時間帯内に前記端末へダウンリンクデータを送信することは、前記ネットワーク機器が前記第１時間帯内に前記端末へ前記ダウンリンクデータを送信することを含む。
【０１２０】
選択肢として、一実施例として、前記送信時刻後の時間帯が第１時間帯を含み、前記第１時間帯の開始時刻が前記送信時刻であり、且つ前記端末が前記第１時間帯内にＤＲＸスリープ期間にあり、前記ネットワーク機器が前記送信時刻後の時間帯内に前記端末へダウンリンクデータを送信することは、前記送信時刻後の時間帯内、且つ前記第１時間帯を経過した後、前記ネットワーク機器が前記端末へ前記ダウンリンクデータを送信することを含む。
【０１２１】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１２２】
以上は図１〜図７を参照しながら本願の方法実施例を詳しく説明したが、以下に図８〜図１１を参照しながら本願の装置実施例を詳しく説明し、装置実施例は方法実施例に対応するため、類似な説明は方法実施例を参照してもよいと理解すべきである。
【０１２３】
図８は本発明の実施例の間欠受信装置の模式的なブロック図である。図８に示す装置８００は、
送信時刻にネットワーク機器へアップリンクデータを送信するための第１送信モジュール８１０と、
前記送信時刻後の時間帯内に間欠受信ＤＲＸスリープ期間とＤＲＸアクティブ期間との間で切り替えるための第１切替モジュール８２０と、を含む。
【０１２４】
選択肢として、一実施例として、前記装置は、前記送信時刻後の時間帯内の、前記ＤＲＸスリープ期間に対応する時間帯及び前記ＤＲＸアクティブ期間に対応する時間帯を示すための第１ＤＲＸパターンを決定するための第１決定モジュールを更に含み、前記第１切替モジュールは更に前記送信時刻後の時間帯内に前記第１ＤＲＸパターンに基づいて前記ＤＲＸスリープ期間と前記ＤＲＸアクティブ期間との間で切り替えることに用いられる。
【０１２５】
選択肢として、一実施例として、前記第１決定モジュールは、更に、前記ネットワーク機器から送信された、前記第１ＤＲＸパターンを示すための第１指示情報を受信することに用いられる。
【０１２６】
選択肢として、一実施例として、前記装置は、更に、前記第１ＤＲＸパターンを利用する持続時間を決定するための第２決定モジュールを含み、前記第１切替モジュールは、更に、前記送信時刻後の時間帯である前記持続時間内に、前記端末が前記第１ＤＲＸパターンに基づいて前記ＤＲＸスリープ期間と前記ＤＲＸアクティブ期間との間で切り替えることに用いられる。
【０１２７】
選択肢として、一実施例として、前記装置は、更に、前記持続時間を経過した後、第２ＤＲＸパターンに基づいて前記ＤＲＸスリープ期間と前記ＤＲＸアクティブ期間との間で切り替えるための第２切替モジュールを含む。
【０１２８】
選択肢として、一実施例として、前記装置は、更に、前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信するための第１受信モジュールを含む。
【０１２９】
選択肢として、一実施例として、前記装置は、更に、第２ＤＲＸパターンに基づいて前記ＤＲＸスリープ期間と前記ＤＲＸアクティブ期間との間で切り替えるための第３決定モジュールを含む。
【０１３０】
選択肢として、一実施例として、前記装置は、更に、前記ネットワーク機器から送信された第３指示情報を受信するための第２受信モジュールを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【０１３１】
選択肢として、一実施例として、前記ＤＲＸスリープ期間に対応する時間帯及び／又は前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１３２】
選択肢として、一実施例として、前記第１切替モジュールは、具体的に、前記送信時刻後の時間帯内に、前記ＤＲＸアクティブ期間に前記ネットワーク機器から送信された前記アップリンクデータのＡＣＫ情報を受信し、前記ＡＣＫ情報を受信した時刻に前記ＤＲＸアクティブ期間から前記ＤＲＸスリープ期間に切り替えることに用いられる。
【０１３３】
選択肢として、一実施例として、前記装置は、更に、前記送信時刻後の時間帯内に、前記ＤＲＸアクティブ期間に前記ネットワーク機器から送信された前記アップリンクデータのＮＡＣＫ情報を受信するための受信モジュールと、前記ネットワーク機器へ前記アップリンクデータを改めて送信するための第２送信モジュールと、を含む。
【０１３４】
選択肢として、一実施例として、前記第１切替モジュールは、具体的に、前記送信時刻後の時間帯内に、前記ＤＲＸアクティブ期間に前記ネットワーク機器から送信された前記アップリンクデータのＮＡＣＫ情報を受信し、前記ＮＡＣＫ情報を受信した時刻に前記ＤＲＸアクティブ期間から前記ＤＲＸスリープ期間に切り替えることに用いられる。
【０１３５】
選択肢として、一実施例として、前記装置は、更に第３送信モジュールを含み、前記第３送信モジュールは、前記送信時刻後の時間帯内に、前記ＤＲＸアクティブ期間に対応する時間帯を経過した後、前記ネットワーク機器から送信された前記アップリンクデータのＡＣＫ情報を受信していない場合、前記端末が前記ネットワーク機器へ前記アップリンクデータを送信することに用いられる。
【０１３６】
選択肢として、一実施例として、前記送信時刻後の時間帯が第１時間帯を含み、前記第１時間帯の開始時刻が前記送信時刻であり、前記第１切替モジュールは、具体的に、前記第１時間帯内にＤＲＸアクティブ期間にあり、前記送信時刻後の時間帯内、且つ前記第１時間帯を経過した後、前記ＤＲＸアクティブ期間から前記ＤＲＸスリープ期間に切り替えることに用いられる。
【０１３７】
選択肢として、一実施例として、前記送信時刻後の時間帯が第１時間帯を含み、前記第１時間帯の開始時刻が前記送信時刻であり、前記第１切替モジュールは、具体的に、前記第１時間帯内にＤＲＸスリープ期間にあり、前記送信時刻後の時間帯内、且つ前記第１時間帯を経過した後、前記ＤＲＸスリープ期間から前記ＤＲＸアクティブ期間に切り替えることに用いられる。
【０１３８】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１３９】
図９は本発明の他の実施例の間欠受信装置の模式的なブロック図である。図９に示す装置９００は、
端末が送信時刻に送信したアップリンクデータを受信するための第１受信モジュール９１０と、
前記送信時刻後の時間帯内、且つ前記端末が間欠受信ＤＲＸアクティブ期間にあるとき、前記端末へダウンリンクデータを送信するための第１送信モジュール９２０と、を含む。
【０１４０】
選択肢として、一実施例として、前記装置は、前記送信時刻後の時間帯内の、前記ＤＲＸスリープ期間に対応する時間帯及び前記ＤＲＸアクティブ期間に対応する時間帯を示すための第１ＤＲＸパターンを決定するための第１決定モジュールを更に含み、前記第１送信モジュールは、更に、前記送信時刻後の時間帯内に、前記第１ＤＲＸパターンに基づいて前記端末が前記ＤＲＸアクティブ期間に対応する時間帯にある際に前記端末へ前記ダウンリンクデータを送信することに用いられる。
【０１４１】
選択肢として、一実施例として、前記装置は、更に、前記第１ＤＲＸパターンを示すための第１指示情報を前記端末へ送信するための第２送信モジュールを含む。
【０１４２】
選択肢として、一実施例として、前記装置は、更に、前記第１ＤＲＸパターンを利用する持続時間を前記端末へ送信するための第３送信モジュールを含み、前記第１送信モジュールは、具体的に、更に、前記送信時刻後の前記時間帯である前記持続時間内に、前記第１ＤＲＸパターンに基づいて前記端末が前記ＤＲＸアクティブ期間に対応する時間帯にある際に前記端末へ前記ダウンリンクデータを送信することに用いられる。
【０１４３】
選択肢として、一実施例として、前記装置は、更に、前記端末が前記第１ＤＲＸパターンに基づいて前記ＤＲＸスリープ期間と前記ＤＲＸアクティブ期間との間で切り替えないことを指示するための第２指示情報を前記端末へ送信するための第４送信モジュールを含む。
【０１４４】
選択肢として、一実施例として、前記装置は、更に第３指示情報を前記端末へ送信するための第５送信モジュールを含み、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【０１４５】
選択肢として、一実施例として、前記ＤＲＸスリープ期間に対応する時間帯及び前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１４６】
選択肢として、一実施例として、前記第１送信モジュールは、具体的に、更に、前記送信時刻後の時間帯内、且つ前記端末が前記ＤＲＸアクティブ期間にあるとき、前記ダウンリンクデータに含まれる前記アップリンクデータのＡＣＫ情報を前記端末へ送信することに用いられる。
【０１４７】
選択肢として、一実施例として、前記第１送信モジュールは、具体的に、更に、前記送信時刻後の時間帯内、且つ前記端末が前記ＤＲＸアクティブ期間にあるとき、前記端末へ前記アップリンクデータのＮＡＣＫ情報を送信し、前記端末から送信された前記アップリンクデータを改めて受信することに用いられる。
【０１４８】
選択肢として、一実施例として、前記第１送信モジュールは、具体的に、更に、前記送信時刻後の時間帯内、且つ前記ＤＲＸアクティブ期間に対応する時間帯を経過した後、前記端末へ前記アップリンクデータのＡＣＫ情報を送信していない場合、前記ネットワーク機器が前記端末から送信された前記アップリンクデータを受信する準備をすることに用いられる。
【０１４９】
選択肢として、一実施例として、前記送信時刻後の時間帯が第１時間帯を含み、前記第１時間帯の開始時刻が前記送信時刻であり、且つ前記端末が前記第１時間帯内にＤＲＸアクティブ期間にあり、前記第１送信モジュールは、具体的に、更に、前記第１時間帯内に前記端末へ前記ダウンリンクデータを送信することに用いられる。
【０１５０】
選択肢として、一実施例として、前記送信時刻後の時間帯が第１時間帯を含み、前記第１時間帯の開始時刻が前記送信時刻であり、且つ前記端末が前記第１時間帯内にＤＲＸスリープ期間にあり、前記第１送信モジュールは、具体的に、更に、前記送信時刻後の時間帯内、且つ前記第１時間帯を経過した後、前記端末へ前記ダウンリンクデータを送信することに用いられる。
【０１５１】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１５２】
図１０は本発明の他の実施例の間欠受信の模式的なブロック図である。図１０に示す装置１０００はメモリ１０１０、プロセッサ１０２０及び送受信機１０３０を備え、前記メモリ１０１０はプログラムを記憶することに用いられ、前記プロセッサ１０２０はプログラムを実行することに用いられ、前記プログラムが実行されるとき、送受信機１０３０は送信時刻にネットワーク機器へアップリンクデータを送信することに用いられ、プロセッサ１０２０は前記送信時刻後の時間帯内に間欠受信ＤＲＸスリープ期間とＤＲＸアクティブ期間との間で切り替えることに用いられる。
【０１５３】
選択肢として、一実施例として、前記装置は、更に、前記送信時刻後の時間帯内の、前記ＤＲＸスリープ期間に対応する時間帯及び前記ＤＲＸアクティブ期間に対応する時間帯を示すための第１ＤＲＸパターンを決定するためのプロセッサ１０２０を備え、前記プロセッサ１０２０は、更に、前記送信時刻後の時間帯内に前記第１ＤＲＸパターンに基づいて前記ＤＲＸスリープ期間と前記ＤＲＸアクティブ期間との間で切り替えることに用いられる。
【０１５４】
選択肢として、一実施例として、前記プロセッサ１０２０は、更に、前記ネットワーク機器から送信された、前記第１ＤＲＸパターンを示すための第１指示情報を受信することに用いられる。
【０１５５】
選択肢として、一実施例として、前記装置は、更に、前記第１ＤＲＸパターンを利用する持続時間を決定するためのプロセッサ１０２０を備え、前記プロセッサ１０２０は、更に、前記送信時刻後の時間帯である前記持続時間内に、前記端末が前記第１ＤＲＸパターンに基づいて前記ＤＲＸスリープ期間と前記ＤＲＸアクティブ期間との間で切り替えることに用いられる。
【０１５６】
選択肢として、一実施例として、前記装置は、更に、前記持続時間を経過した後、第２ＤＲＸパターンに基づいて前記ＤＲＸスリープ期間と前記ＤＲＸアクティブ期間との間で切り替えるためのプロセッサ１０２０を備える。
【０１５７】
選択肢として、一実施例として、前記装置は、更に、前記ネットワーク機器から送信された、前記端末が前記第１ＤＲＸパターンに基づいて前記ＤＲＸスリープ期間と前記ＤＲＸアクティブ期間との間で切り替えないことを指示するための第２指示情報を受信するための送受信機１０３０を備える。
【０１５８】
選択肢として、一実施例として、前記装置は、更に、第２ＤＲＸパターンに基づいて前記ＤＲＸスリープ期間と前記ＤＲＸアクティブ期間との間で切り替えるためのプロセッサ１０２０を備える。
【０１５９】
選択肢として、一実施例として、前記装置は、更に、前記ネットワーク機器から送信された第３指示情報を受信するための送受信機１０３０を備え、前記第３指示情報は、前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【０１６０】
選択肢として、一実施例として、前記ＤＲＸスリープ期間に対応する時間帯及び／又は前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１６１】
選択肢として、一実施例として、前記プロセッサ１０２０は、具体的に、前記送信時刻後の時間帯内に、前記ＤＲＸアクティブ期間に前記ネットワーク機器から送信された前記アップリンクデータのＡＣＫ情報を受信し、前記ＡＣＫ情報を受信した時刻に前記ＤＲＸアクティブ期間から前記ＤＲＸスリープ期間に切り替えることに用いられる。
【０１６２】
選択肢として、一実施例として、前記プロセッサ１０２０は、具体的に、前記送信時刻後の時間帯内に、前記ＤＲＸアクティブ期間に前記ネットワーク機器から送信された前記アップリンクデータのＮＡＣＫ情報を受信し、前記ネットワーク機器へ前記アップリンクデータを改めて送信することに用いられる。
【０１６３】
選択肢として、一実施例として、前記プロセッサ１０２０は、具体的に、前記送信時刻後の時間帯内に、前記ＤＲＸアクティブ期間に前記ネットワーク機器から送信された前記アップリンクデータのＮＡＣＫ情報を受信し、前記ＮＡＣＫ情報を受信した時刻に前記ＤＲＸアクティブ期間から前記ＤＲＸスリープ期間に切り替えることに用いられる。
【０１６４】
選択肢として、一実施例として、前記プロセッサ１０２０は、具体的に、前記送信時刻後の時間帯内に、前記ＤＲＸアクティブ期間に対応する時間帯を経過した後、前記ネットワーク機器から送信された前記アップリンクデータのＡＣＫ情報を受信していない場合、前記端末が前記ネットワーク機器へ前記アップリンクデータを送信することに用いられる。
【０１６５】
選択肢として、一実施例として、前記送信時刻後の時間帯が第１時間帯を含み、前記第１時間帯の開始時刻が前記送信時刻であり、前記プロセッサ１０２０は、具体的に、前記第１時間帯内にＤＲＸアクティブ期間にあり、前記送信時刻後の時間帯内、且つ前記第１時間帯を経過した後、前記ＤＲＸアクティブ期間から前記ＤＲＸスリープ期間に切り替えることに用いられる。
【０１６６】
選択肢として、一実施例として、前記送信時刻後の時間帯が第１時間帯を含み、前記第１時間帯の開始時刻が前記送信時刻であり、前記プロセッサ１０２０は、具体的に、前記第１時間帯内にＤＲＸスリープ期間にあり、前記送信時刻後の時間帯内、且つ前記第１時間帯を経過した後、前記ＤＲＸスリープ期間から前記ＤＲＸアクティブ期間に切り替えることに用いられる。
【０１６７】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１６８】
図１１は本発明の他の実施例の間欠受信の模式的なブロック図である。図１１に示す装置１１００はメモリ１１１１、プロセッサ１１２０及び送受信機１１３０を備え、前記メモリ１１１１はプログラムを記憶することに用いられ、前記プロセッサ１１２０はプログラムを実行することに用いられ、前記プログラムが実行されるとき、送受信機１１３０は端末が送信時刻に送信したアップリンクデータを受信することに用いられ、送受信機１１３０は、更に、前記送信時刻後の時間帯内、且つ前記端末が間欠受信ＤＲＸアクティブ期間にあるとき、前記端末へダウンリンクデータを送信することに用いられる。
【０１６９】
選択肢として、一実施例として、前記装置は、更に、前記送信時刻後の時間帯内の、前記ＤＲＸスリープ期間に対応する時間帯及び前記ＤＲＸアクティブ期間に対応する時間帯を示すための第１ＤＲＸパターンを決定するためのプロセッサ１１２０を備え、前記送受信機１１３０は、更に、前記送信時刻後の時間帯内に、前記第１ＤＲＸパターンに基づいて前記端末が前記ＤＲＸアクティブ期間に対応する時間帯にある際に前記端末へ前記ダウンリンクデータを送信することに用いられる。
【０１７０】
選択肢として、一実施例として、前記装置は、更に、前記第１ＤＲＸパターンを示すための第１指示情報を前記端末へ送信するための送受信機１１３０を備える。
【０１７１】
選択肢として、一実施例として、前記装置は、更に、前記第１ＤＲＸパターンを利用する持続時間を前記端末へ送信するための送受信機１１３０を備え、前記送受信機１１３０は、具体的に、更に、前記送信時刻後の前記時間帯である前記持続時間内に、前記第１ＤＲＸパターンに基づいて前記端末が前記ＤＲＸアクティブ期間に対応する時間帯にある際に前記端末へ前記ダウンリンクデータを送信することに用いられる。
【０１７２】
選択肢として、一実施例として、前記装置は、更に、前記端末が前記第１ＤＲＸパターンに基づいて前記ＤＲＸスリープ期間と前記ＤＲＸアクティブ期間との間で切り替えないことを指示するための第２指示情報を前記端末へ送信するための送受信機１１３０を備える。
【０１７３】
選択肢として、一実施例として、前記装置は、更に第３指示情報を前記端末へ送信するための送受信機１１３０を備え、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示す。
【０１７４】
選択肢として、一実施例として、前記ＤＲＸスリープ期間に対応する時間帯及び前記ＤＲＸアクティブ期間に対応する時間帯は、伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１７５】
選択肢として、一実施例として、前記送受信機１１３０は、具体的に、更に、前記送信時刻後の時間帯内、且つ前記端末が前記ＤＲＸアクティブ期間にあるとき、前記ダウンリンクデータに含まれる前記アップリンクデータのＡＣＫ情報を前記端末へ送信することに用いられる。
【０１７６】
選択肢として、一実施例として、前記送受信機１１３０は、具体的に、更に、前記送信時刻後の時間帯内、且つ前記端末が前記ＤＲＸアクティブ期間にあるとき、前記端末へ前記アップリンクデータのＮＡＣＫ情報を送信し、前記端末から送信された前記アップリンクデータを改めて受信することに用いられる。
【０１７７】
選択肢として、一実施例として、前記送受信機１１３０は、具体的に、更に、前記送信時刻後の時間帯内、且つ前記ＤＲＸアクティブ期間に対応する時間帯を経過した後、前記端末へ前記アップリンクデータのＡＣＫ情報を送信していない場合、前記ネットワーク機器が前記端末から送信された前記アップリンクデータを受信する準備をすることに用いられる。
【０１７８】
選択肢として、一実施例として、前記送信時刻後の時間帯が第１時間帯を含み、前記第１時間帯の開始時刻が前記送信時刻であり、且つ前記端末が前記第１時間帯内にＤＲＸアクティブ期間にあり、前記送受信機１１３０は、具体的に、更に、前記第１時間帯内に前記端末へ前記ダウンリンクデータを送信することに用いられる。
【０１７９】
選択肢として、一実施例として、前記送信時刻後の時間帯が第１時間帯を含み、前記第１時間帯の開始時刻が前記送信時刻であり、且つ前記端末が前記第１時間帯内にＤＲＸスリープ期間にあり、前記送受信機１１３０は、具体的に、更に、前記送信時刻後の時間帯内、且つ前記第１時間帯を経過した後、前記端末へ前記ダウンリンクデータを送信することに用いられる。
【０１８０】
選択肢として、一実施例として、前記第１時間帯は伝送対象のダウンリンクデータに対応するサービス品質又はサービス属性、アップリンクデータ及び／又はダウンリンクデータを符号化するために必要な時間、アップリンクデータ及び／又はダウンリンクデータを復号するために必要な時間、アップリンクデータ及び／又はダウンリンクデータを伝送するために必要な伝送時間のうちの少なくとも１つの情報によって決定される。
【０１８１】
本発明の実施例において、「Ａに対応するＢ」はＢがＡに関連し、Ａに基づいてＢを決定することができることを示すと理解すべきである。ところが、更に、Ａに基づいてＢを決定することとはＡのみに基づいてＢを決定することを意味せず、更にＡ及び／又は他の情報に基づいてＢを決定することができることを意味すると理解すべきである。
【０１８２】
本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよいと理解すべきである。また、本明細書における文字「／」は一般的に前後関連オブジェクトが「又は」関係であることを示す。
【０１８３】
本発明の様々な実施例において、上記各過程の番号の順位は実行順序の前後を意味せず、各過程の実行順序はその機能及び内部論理によって決定されるべきであり、本発明の実施例の実施過程を制限するためのものではないと理解すべきである。
【０１８４】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１８５】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１８６】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１８７】
前記機能はソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本発明の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【図１】
2020504489.tif 000003
【図２】
2020504489.tif 000004
【図３】
2020504489.tif 000005
【図４】
2020504489.tif 000006
【図５】
2020504489.tif 000007
【図６】
2020504489.tif 000008
【図７】
2020504489.tif 000009
【図８】
2020504489.tif 000010
【図９】
2020504489.tif 000011
【図１０】
2020504489.tif 000012
【図１１】
2020504489.tif 000013
【手続補正書】
【提出日】令和1年11月7日(2019.11.7)
【手続補正１】
【補正対象書類名】明細書
【補正対象項目名】０００８
【補正方法】変更
【補正の内容】
【０００８】
第１態様を参照して、第１態様のいくつかの実現方式では、前記方法は、更に、前記端末が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、前記送信時刻後の時間帯内に、前記端末がＤＲＸスリープ期間とＤＲＸアクティブ期間との間で切り替えることは、前記送信時刻後の時間帯内に、前記端末が前記第１ＤＲＸパターンに基づいて前記ＤＲＸスリープ期間と前記ＤＲＸアクティブ期間との間で切り替えることを含む。
【手続補正２】
【補正対象書類名】明細書
【補正対象項目名】００３６
【補正方法】変更
【補正の内容】
【００３６】
第２態様を参照して、第２態様のいくつかの実現方式では、前記ネットワーク機器が第１ＤＲＸパターン及び第２対応関係に基づいて前記端末のために前記第１ＤＲＸパターンを設定し、前記第２対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間との対応関係、ＤＲＸパターンとアップリンクデータ及び／又はダウンリンクデータを復号するために必要な時間との対応関係、ＤＲＸパターンとアップリンクデータ及び／又はダウンリンクデータを伝送するために必要な伝送時間との対応関係のうちの少なくとも１つを含む。
【手続補正３】
【補正対象書類名】明細書
【補正対象項目名】００４１
【補正方法】変更
【補正の内容】
【００４１】
第２態様を参照して、第２態様のいくつかの実現方式では、前記方法は、更に、前記ネットワーク機器が第１ＤＲＸパターン及び第１対応関係に基づいて端末の前記第１ＤＲＸパターンを利用しないと決定することを含み、前記第１対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間との対応関係、ＤＲＸパターンとアップリンクデータ及び／又はダウンリンクデータを復号するために必要な時間との対応関係、ＤＲＸパターンとアップリンクデータ及び／又はダウンリンクデータを伝送するために必要な伝送時間との対応関係のうちの少なくとも１つを含む。
【手続補正４】
【補正対象書類名】明細書
【補正対象項目名】００４８
【補正方法】変更
【補正の内容】
【００４８】
第２態様を参照して、第２態様のいくつかの実現方式では、前記ネットワーク機器が前記送信時刻後の時間帯内に前記端末へダウンリンクデータを送信することは、前記送信時刻後の時間帯内、且つ前記ＤＲＸアクティブ期間に対応する時間帯を経過した後、前記ネットワーク機器が前記端末へ前記アップリンクデータのＡＣＫ情報を送信していない場合、前記端末から送信された前記アップリンクデータを受信する準備をすることを含む。
【手続補正５】
【補正対象書類名】明細書
【補正対象項目名】００５９
【補正方法】変更
【補正の内容】
【００５９】
【図１】図１は本発明の実施例に応用した無線通信システム１００を示す図である。
【図２】図２は本発明の実施例の間欠受信方法の模式的なフローチャートである。
【図３】図３は本発明の実施例のＤＲＸパターンの模式図である。
【図４】図４は本発明の他の実施例のＤＲＸパターンの模式図である。
【図５】図５は本発明の他の実施例の端末がＤＲＸ伝送を行う模式図である。
【図６】図６は本発明の他の実施例のＤＲＸパターンの模式図である。
【図７】図７は本発明の他の実施例の間欠受信方法の模式的なフローチャートである。
【図８】図８は本発明の実施例の間欠受信装置の模式的なブロック図である。
【図９】図９は本発明の他の実施例の間欠受信装置の模式的なブロック図である。
【図１０】図１０は本発明の他の実施例の間欠受信装置の模式的なブロック図である。
【図１１】図１１は本発明の他の実施例の間欠受信装置の模式的なブロック図である。
【手続補正６】
【補正対象書類名】明細書
【補正対象項目名】００７６
【補正方法】変更
【補正の内容】
【００７６】
更に、例えば、図４は本発明の他の実施例のＤＲＸパターンの模式図である。図４に示すＤＲＸ伝送メカニズムによれば、端末がネットワーク機器へアップリンクデータを送信する際に遅延する可能性があって、ネットワーク機器が該アップリンクデータを復号するために必要な時間を考慮する上で、ネットワーク機器は端末がネットワーク機器へアップリンクデータを送信した直後に、端末へ該アップリンクデータに対するフィードバック情報を送信することがなく、このため、端末の電力消費量を更に節約するために、図４に示すＤＲＸパターンで示されるように、該端末が第１送信時刻にネットワーク機器へ第１アップリンクデータを送信した後、該端末が第１ＤＲＸスリープ期間に入るようにトリガーすることができ、該端末が第１ＤＲＸスリープ期間に対応する時間帯内にＤＲＸスリープ期間にあり、図４に示すＤＲＸパターンで示されるＤＲＸアクティブ期間の開始時刻から、該端末がＤＲＸアクティブ期間に入り、該端末は前記ＤＲＸアクティブ期間にネットワーク機器から送信された第１送信時刻に対して送信した第１アップリンクデータのフィードバック情報を受信することができ、図４に示すＤＲＸパターンで示される第２ＤＲＸスリープ期間の開始時刻から、端末がＤＲＸスリープ期間に入るように再びトリガーする。
【手続補正７】
【補正対象書類名】明細書
【補正対象項目名】００７７
【補正方法】変更
【補正の内容】
【００７７】
選択肢として、一実施例として、前記端末が第１ＤＲＸパターンを決定することは、前記端末が伝送対象のダウンリンクデータに対応するサービス属性、ベアラタイプ又はＨＡＲＱプロセスに基づいてＤＲＸパターン集合から前記第１ＤＲＸパターンを決定することを含み、前記ＤＲＸパターン集合に複数のＤＲＸパターンを含み、前記ＤＲＸパターン集合における異なるＤＲＸパターンが異なるタイプのサービス属性、ベアラタイプ又はハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）プロセスに対応する。
【手続補正８】
【補正対象書類名】明細書
【補正対象項目名】００７８
【補正方法】変更
【補正の内容】
【００７８】
なお、上記ＤＲＸパターン集合はネットワーク機器が端末のために予め設定されたものであってもよく、上記ＤＲＸパターン集合は更に通信プロトコルに基づいて設定されたものであってもよく、本発明の実施例は端末がＤＲＸパターンを取得する具体的な方式を制限しない。
【手続補正９】
【補正対象書類名】明細書
【補正対象項目名】００８０
【補正方法】変更
【補正の内容】
【００８０】
上記第１指示情報がＲＲＣシグナリング又はＭＡＣ層シグナリングに含まれてもよく、本発明の実施例は具体的に制限しないと理解すべきである。
【手続補正１０】
【補正対象書類名】明細書
【補正対象項目名】００９４
【補正方法】変更
【補正の内容】
【００９４】
選択肢として、一実施例として、前記第１ＤＲＸパターンで示される、前記送信時刻後の時間帯内の前記ＤＲＸスリープ期間に対応する時間帯及び前記ＤＲＸアクティブ期間に対応する時間帯は、伝送対象のダウンリンクデータに対応するサービス品質又はサービス属性、アップリンクデータ及び／又はダウンリンクデータの符号化・復号時間、アップリンクデータ及び／又はダウンリンクデータを伝送するために必要な伝送時間のうちの少なくとも１つの情報によって決定される。
【手続補正１１】
【補正対象書類名】明細書
【補正対象項目名】００９６
【補正方法】変更
【補正の内容】
【００９６】
具体的に、ＤＲＸアクティブ期間にある端末は、ネットワーク機器から送信されたアップリンクデータのＡＣＫ情報を受信すると、該端末がＤＲＸアクティブ期間からＤＲＸスリープ期間に直ちに切り替える。
【手続補正１２】
【補正対象書類名】明細書
【補正対象項目名】００９８
【補正方法】変更
【補正の内容】
【００９８】
例えば、図５は本発明の他の実施例の端末がＤＲＸ伝送を行う模式図である。図５に示すＤＲＸ伝送メカニズムによれば、該端末が第１送信時刻にネットワーク機器へ第１アップリンクデータを送信することにより、該端末が第１ＤＲＸアクティブ期間に入るようにトリガーし、該端末が第１ＤＲＸアクティブ期間に対応する時間帯内にＤＲＸアクティブ期間にあり、該端末は第１ＤＲＸアクティブ期間にネットワーク機器から送信された第１送信時刻に対して送信した第１アップリンクデータのフィードバック情報を受信することができ、第１アクティブ期間に対応する時間帯が終了した後、該端末がＤＲＸスリープ期間に入り、該端末が送信の必要がある第２アップリンクデータがあると、端末がＤＲＸアクティブ期間（図５における第２ＤＲＸアクティブ期間参照）に入るように再びトリガーする。
【手続補正１３】
【補正対象書類名】明細書
【補正対象項目名】０１０２
【補正方法】変更
【補正の内容】
【０１０２】
例えば、図６は本発明の他の実施例のＤＲＸパターンの模式図である。図６に示すＤＲＸ伝送メカニズムによれば、端末がネットワーク機器へアップリンクデータを送信する際に遅延する可能性があって、ネットワーク機器が該アップリンクデータを復号するために必要な時間を考慮する上で、ネットワーク機器は端末がネットワーク機器へアップリンクデータを送信した直後に、端末へ該アップリンクデータに対するフィードバック情報を送信することがなく、このため、端末の電力消費量を更に節約するために、該端末が第１送信時刻にネットワーク機器へ第１アップリンクデータを送信した後、該端末が第１ＤＲＸスリープ期間に入るようにトリガーすることができ、該端末が第１ＤＲＸスリープ期間に対応する時間帯内にＤＲＸスリープ期間にあり、第１スリープ期間に対応する時間帯が終了した後、該端末がＤＲＸアクティブ期間に入り、該端末は第１ＤＲＸアクティブ期間にネットワーク機器から送信された第１送信時刻に対して送信した第１アップリンクデータのフィードバック情報を受信することができ、該端末が送信の必要がある第２アップリンクデータがあると、端末がＤＲＸスリープ期間（図６における第２ＤＲＸスリープ期間参照）に入るように再びトリガーする。
【手続補正１４】
【補正対象書類名】明細書
【補正対象項目名】０１０９
【補正方法】変更
【補正の内容】
【０１０９】
選択肢として、一実施例として、前記方法は、更に、前記ネットワーク機器が第１ＤＲＸパターン及び第２対応関係に基づいて前記端末のために前記第１ＤＲＸパターンを設定することを含み、前記第２対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間との対応関係、ＤＲＸパターンとアップリンクデータ及び／又はダウンリンクデータを復号するために必要な時間との対応関係、ＤＲＸパターンとアップリンクデータ及び／又はダウンリンクデータを伝送するために必要な伝送時間との対応関係のうちの少なくとも１つを含む。
【手続補正１５】
【補正対象書類名】明細書
【補正対象項目名】０１１２
【補正方法】変更
【補正の内容】
【０１１２】
選択肢として、一実施例として、前記方法は、更に、前記ネットワーク機器が第１ＤＲＸパターン及び第１対応関係に基づいて端末が前記第１ＤＲＸパターンを利用しないと決定することを含み、前記第１対応関係はＤＲＸパターンと伝送対象のダウンリンクデータに対応するサービス品質又はサービス属性との対応関係、ＤＲＸパターンとアップリンクデータ及び／又はダウンリンクデータを符号化するために必要な時間との対応関係、ＤＲＸパターンとアップリンクデータ及び／又はダウンリンクデータを復号するために必要な時間との対応関係、ＤＲＸパターンとアップリンクデータ及び／又はダウンリンクデータを伝送するために必要な伝送時間との対応関係のうちの少なくとも１つを含む。
【手続補正１６】
【補正対象書類名】明細書
【補正対象項目名】０１１８
【補正方法】変更
【補正の内容】
【０１１８】
選択肢として、一実施例として、前記ネットワーク機器が前記送信時刻後の時間帯内に前記端末へダウンリンクデータを送信することは、前記送信時刻後の時間帯内、且つ前記ＤＲＸアクティブ期間に対応する時間帯を経過した後、前記ネットワーク機器が前記端末へ前記アップリンクデータのＡＣＫ情報を送信していない場合、前記端末から送信された前記アップリンクデータを受信する準備をすることを含む。
【手続補正１７】
【補正対象書類名】明細書
【補正対象項目名】０１２６
【補正方法】変更
【補正の内容】
【０１２６】
選択肢として、一実施例として、前記装置は、更に、前記第１ＤＲＸパターンを利用する持続時間を決定するための第２決定モジュールを含み、前記第１切替モジュールは、更に、前記送信時刻後の時間帯である前記持続時間内に、前記第１ＤＲＸパターンに基づいて前記ＤＲＸスリープ期間と前記ＤＲＸアクティブ期間との間で切り替えることに用いられる。
【手続補正１８】
【補正対象書類名】明細書
【補正対象項目名】０１３５
【補正方法】変更
【補正の内容】
【０１３５】
選択肢として、一実施例として、前記装置は、更に第３送信モジュールを含み、前記第３送信モジュールは、前記送信時刻後の時間帯内に、前記ＤＲＸアクティブ期間に対応する時間帯を経過した後、前記ネットワーク機器から送信された前記アップリンクデータのＡＣＫ情報を受信していない場合、前記ネットワーク機器へ前記アップリンクデータを送信することに用いられる。
【手続補正１９】
【補正対象書類名】明細書
【補正対象項目名】０１４８
【補正方法】変更
【補正の内容】
【０１４８】
選択肢として、一実施例として、前記第１送信モジュールは、具体的に、更に、前記送信時刻後の時間帯内、且つ前記ＤＲＸアクティブ期間に対応する時間帯を経過した後、前記端末へ前記アップリンクデータのＡＣＫ情報を送信していない場合、前記端末から送信された前記アップリンクデータを受信する準備をすることに用いられる。
【手続補正２０】
【補正対象書類名】明細書
【補正対象項目名】０１５２
【補正方法】変更
【補正の内容】
【０１５２】
図１０は本発明の他の実施例の間欠受信装置の模式的なブロック図である。図１０に示す装置１０００はメモリ１０１０、プロセッサ１０２０及び送受信機１０３０を備え、前記メモリ１０１０はプログラムを記憶することに用いられ、前記プロセッサ１０２０はプログラムを実行することに用いられ、前記プログラムが実行されるとき、送受信機１０３０は送信時刻にネットワーク機器へアップリンクデータを送信することに用いられ、プロセッサ１０２０は前記送信時刻後の時間帯内に間欠受信ＤＲＸスリープ期間とＤＲＸアクティブ期間との間で切り替えることに用いられる。
【手続補正２１】
【補正対象書類名】明細書
【補正対象項目名】０１５５
【補正方法】変更
【補正の内容】
【０１５５】
選択肢として、一実施例として、前記装置は、更に、前記第１ＤＲＸパターンを利用する持続時間を決定するためのプロセッサ１０２０を備え、前記プロセッサ１０２０は、更に、前記送信時刻後の時間帯である前記持続時間内に、前記第１ＤＲＸパターンに基づいて前記ＤＲＸスリープ期間と前記ＤＲＸアクティブ期間との間で切り替えることに用いられる。
【手続補正２２】
【補正対象書類名】明細書
【補正対象項目名】０１５７
【補正方法】変更
【補正の内容】
【０１５７】
選択肢として、一実施例として、前記装置は、更に、前記ネットワーク機器から送信された、前記プロセッサ１０２０が前記第１ＤＲＸパターンに基づいて前記ＤＲＸスリープ期間と前記ＤＲＸアクティブ期間との間で切り替えないことを指示するための第２指示情報を受信するための送受信機１０３０を備える。
【手続補正２３】
【補正対象書類名】明細書
【補正対象項目名】０１６４
【補正方法】変更
【補正の内容】
【０１６４】
選択肢として、一実施例として、前記プロセッサ１０２０は、具体的に、前記送信時刻後の時間帯内に、前記ＤＲＸアクティブ期間に対応する時間帯を経過した後、前記ネットワーク機器から送信された前記アップリンクデータのＡＣＫ情報を受信していない場合、前記ネットワーク機器へ前記アップリンクデータを送信することに用いられる。
【手続補正２４】
【補正対象書類名】明細書
【補正対象項目名】０１６８
【補正方法】変更
【補正の内容】
【０１６８】
図１１は本発明の他の実施例の間欠受信装置の模式的なブロック図である。図１１に示す装置１１００はメモリ１１１１、プロセッサ１１２０及び送受信機１１３０を備え、前記メモリ１１１１はプログラムを記憶することに用いられ、前記プロセッサ１１２０はプログラムを実行することに用いられ、前記プログラムが実行されるとき、送受信機１１３０は端末が送信時刻に送信したアップリンクデータを受信することに用いられ、送受信機１１３０は、更に、前記送信時刻後の時間帯内、且つ前記端末が間欠受信ＤＲＸアクティブ期間にあるとき、前記端末へダウンリンクデータを送信することに用いられる。
【手続補正２５】
【補正対象書類名】明細書
【補正対象項目名】０１７７
【補正方法】変更
【補正の内容】
【０１７７】
選択肢として、一実施例として、前記送受信機１１３０は、具体的に、更に、前記送信時刻後の時間帯内、且つ前記ＤＲＸアクティブ期間に対応する時間帯を経過した後、前記端末へ前記アップリンクデータのＡＣＫ情報を送信していない場合、前記端末から送信された前記アップリンクデータを受信する準備をすることに用いられる。
【手続補正２６】
【補正対象書類名】特許請求の範囲
【補正対象項目名】全文
【補正方法】変更
【補正の内容】
【特許請求の範囲】
【請求項１】
間欠受信方法であって、
端末は送信時刻にネットワーク機器へアップリンクデータを送信することと、
前記送信時刻後の時間帯内に、前記端末は間欠受信ＤＲＸスリープ期間とＤＲＸアクティブ期間との間で切り替えることと、を含むことを特徴とする間欠受信方法。
【請求項２】
前記方法は、更に、
前記端末が前記送信時刻後の時間帯内の、前記ＤＲＸスリープ期間に対応する時間帯及び前記ＤＲＸアクティブ期間に対応する時間帯を示すための第１ＤＲＸパターンを決定することを含み、
前記送信時刻後の時間帯内に、前記端末がＤＲＸスリープ期間とＤＲＸアクティブ期間との間で切り替えることは、
前記送信時刻後の時間帯内に、前記端末が前記第１ＤＲＸパターンに基づいて前記ＤＲＸスリープ期間と前記ＤＲＸアクティブ期間との間で切り替えることを含むことを特徴とする請求項１に記載の方法。
【請求項３】
前記端末が第１ＤＲＸパターンを決定することは、
前記端末が前記ネットワーク機器から送信された、前記第１ＤＲＸパターンを示すための第１指示情報を受信することを含み、
或いは、
前記方法は、更に
前記端末が前記ネットワーク機器から送信された第２指示情報を受信し、前記第２指示情報は前記端末が前記第１ＤＲＸパターンに基づいて前記ＤＲＸスリープ期間と前記ＤＲＸアクティブ期間との間で切り替えないことを指示することと、
前記端末が前記第１ＤＲＸパターンに基づいて前記ＤＲＸスリープ期間と前記ＤＲＸアクティブ期間との間で切り替えることを停止することと、を含み、
或いは、
前記方法は、更に、
前記端末が前記ネットワーク機器から送信された第３指示情報を受信し、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含むことを特徴とする請求項２に記載の方法。
【請求項４】
前記方法は、更に、
前記端末が前記第１ＤＲＸパターンを利用する持続時間を決定することを含み、
前記送信時刻後の時間帯内に、前記端末が前記第１ＤＲＸパターンに基づいて前記ＤＲＸスリープ期間と前記ＤＲＸアクティブ期間との間で切り替えることは、
前記送信時刻後の時間帯である前記持続時間内に、前記端末が前記第１ＤＲＸパターンに基づいて前記ＤＲＸスリープ期間と前記ＤＲＸアクティブ期間との間で切り替えることを含むことを特徴とする請求項２又は３に記載の方法。
【請求項５】
前記方法は、更に、
前記持続時間を経過した後、前記端末が第２ＤＲＸパターンに基づいて前記ＤＲＸスリープ期間と前記ＤＲＸアクティブ期間との間で切り替えることを含むことを特徴とする請求項４に記載の方法。
【請求項６】
前記端末が第１ＤＲＸパターンを決定する前に、前記方法は、更に、
前記端末が第２ＤＲＸパターンに基づいて前記ＤＲＸスリープ期間と前記ＤＲＸアクティブ期間との間で切り替えることを含むことを特徴とする請求項２〜５のいずれか１項に記載の方法。
【請求項７】
前記ＤＲＸスリープ期間に対応する時間帯及び／又は前記ＤＲＸアクティブ期間に対応する時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項２〜６のいずれか１項に記載の方法。
【請求項８】
前記送信時刻後の時間帯内に、前記端末がＤＲＸスリープ期間とＤＲＸアクティブ期間との間で切り替えることは、
前記送信時刻後の時間帯内に、前記端末が前記ＤＲＸアクティブ期間に前記ネットワーク機器から送信された前記アップリンクデータのＡＣＫ情報を受信することと、
前記端末が前記ＡＣＫ情報を受信した時刻に前記ＤＲＸアクティブ期間から前記ＤＲＸスリープ期間に切り替えることと、を含み、
或いは、
前記送信時刻後の時間帯内に、前記端末がＤＲＸスリープ期間とＤＲＸアクティブ期間との間で切り替えることは、
前記送信時刻後の時間帯内に、前記端末が前記ＤＲＸアクティブ期間に前記ネットワーク機器から送信された前記アップリンクデータのＮＡＣＫ情報を受信することと、
前記端末が前記ＮＡＣＫ情報を受信した時刻に前記ＤＲＸアクティブ期間から前記ＤＲＸスリープ期間に切り替えることと、を含むことを特徴とする請求項１に記載の方法。
【請求項９】
前記方法は、更に、
前記送信時刻後の時間帯内に、前記端末が前記ＤＲＸアクティブ期間に前記ネットワーク機器から送信された前記アップリンクデータのＮＡＣＫ情報を受信することと、
前記端末が前記ネットワーク機器へ前記アップリンクデータを改めて送信することと、を含み、
或いは、
前記方法は、更に、
前記送信時刻後の時間帯内に、前記ＤＲＸアクティブ期間に対応する時間帯を経過した後、前記端末が前記ネットワーク機器から送信された前記アップリンクデータのＡＣＫ情報を受信していない場合、前記端末が前記ネットワーク機器へ前記アップリンクデータを送信することを含むことを特徴とする請求項１又は８に記載の方法。
【請求項１０】
前記送信時刻後の時間帯が第１時間帯を含み、前記第１時間帯の開始時刻が前記送信時刻であり、前記送信時刻後の時間帯内に、前記端末がＤＲＸスリープ期間とＤＲＸアクティブ期間との間で切り替えることは、
前記第１時間帯内に、前記端末がＤＲＸアクティブ期間にあることと、
前記送信時刻後の時間帯内、且つ前記第１時間帯を経過した後、前記端末が前記ＤＲＸアクティブ期間から前記ＤＲＸスリープ期間に切り替えることと、を含み、
或いは、
前記送信時刻後の時間帯内に、前記端末がＤＲＸスリープ期間とＤＲＸアクティブ期間との間で切り替えることは、
前記第１時間帯内に、前記端末がＤＲＸスリープ期間にあることと、
前記送信時刻後の時間帯内、且つ前記第１時間帯を経過した後、前記端末が前記ＤＲＸスリープ期間から前記ＤＲＸアクティブ期間に切り替えることと、を含むことを特徴とする請求項１に記載の方法。
【請求項１１】
第１時間帯は、
伝送対象のダウンリンクデータに対応するサービス品質又はサービス属性、
アップリンクデータ及び／又はダウンリンクデータを符号化するために必要な時間、
アップリンクデータ及び／又はダウンリンクデータを復号するために必要な時間、
アップリンクデータ及び／又はダウンリンクデータを伝送するために必要な伝送時間のうちの少なくとも１つの情報によって決定されることを特徴とする請求項９又は１０に記載の方法。
【請求項１２】
間欠受信方法であって、
ネットワーク機器は端末が送信時刻に送信したアップリンクデータを受信することと、
前記ネットワーク機器は、前記送信時刻後の時間帯内且つ前記端末が間欠受信ＤＲＸアクティブ期間にあるとき、前記端末へダウンリンクデータを送信することと、を含むことを特徴とする間欠受信方法。
【請求項１３】
前記方法は、更に、
前記ネットワーク機器が前記送信時刻後の時間帯内の、ＤＲＸスリープ期間に対応する時間帯及び前記ＤＲＸアクティブ期間に対応する時間帯を示すための第１ＤＲＸパターンを決定することを含み、
前記ネットワーク機器が前記送信時刻後の時間帯内に前記端末へダウンリンクデータを送信することは、更に、
前記送信時刻後の時間帯内に、前記ネットワーク機器が前記第１ＤＲＸパターンに基づいて前記端末の前記ＤＲＸアクティブ期間に対応する時間帯にある際に前記端末へ前記ダウンリンクデータを送信することを含むことを特徴とする請求項１２に記載の方法。
【請求項１４】
前記方法は、更に、
前記ネットワーク機器が前記第１ＤＲＸパターンを示すための第１指示情報を前記端末へ送信することを含み、
或いは、
前記方法は、更に、
前記ネットワーク機器が第２指示情報を前記端末へ送信し、前記第２指示情報は前記端末が前記第１ＤＲＸパターンに基づいて前記ＤＲＸスリープ期間と前記ＤＲＸアクティブ期間との間で切り替えないことを指示することを含み、
或いは、
前記方法は、更に、
前記ネットワーク機器が第３指示情報を前記端末へ送信し、前記第３指示情報は前記第１ＤＲＸパターンに適用するサービスタイプ情報、前記第１ＤＲＸパターンに適用するベアラ情報、前記第１ＤＲＸパターンに適用する論理チャネル情報及び前記第１ＤＲＸパターンに適用するＨＡＲＱプロセス情報のうちの少なくとも１つを示すことを含むことを特徴とする請求項１３に記載の方法。
【請求項１５】
間欠受信装置であって、
送信時刻にネットワーク機器へアップリンクデータを送信するための第１送信モジュールと、
前記送信時刻後の時間帯内に間欠受信ＤＲＸスリープ期間とＤＲＸアクティブ期間との間で切り替えるための第１切替モジュールと、を含むことを特徴とする間欠受信装置。
【国際調査報告】
2020504489.tif 000014
2020504489.tif 000015
2020504489.tif 000016
2020504489.tif 000017
2020504489.tif 000018